(57)【要約】【課題】  受信装置が受信する放送信号の内容に合わせて、ユーザに好都合なように、放送信号の内容を視聴させることができるようにする。【解決手段】  チューナ１１は、メモリ３６に記憶されたデータに基づいて、受信装置１が設置されている建物の各部屋のユーザが所望するジャンルの番組の放送信号を選択する。各部屋に設置されたセンサ３７−１乃至３７−５は、ユーザが部屋にいるかどうかを検出する。そして、コントローラ３１は、ユーザがいる部屋のディスプレイ２２とスピーカ２３を選択するように、セレクタ２０および２１を制御する。従って、各部屋にいるユーザは、所望のジャンルの番組を視聴することができる。本発明は、例えば、テレビジョン受像機等に適用可能な受信装置に適用できる。【選択図】図２
2005086422.tif 000002
【特許請求の範囲】
【請求項１】
番組の放送信号を受信する受信装置において、
複数のユーザの前記番組の嗜好情報を記憶する記憶手段と、
前記記憶手段に記憶された前記ユーザの嗜好情報に基づいて、前記複数のチャンネルの中から所定のチャンネルを選択するチャンネル選択手段と、
前記チャンネル選択手段により選択された前記所定のチャンネルの前記番組を嗜好するユーザの部屋にユーザがいるかどうかを検出する検出手段と、
複数の部屋にそれぞれ設置された複数の番組表示手段のうち、前記検出手段においてユーザがいると検出された前記部屋の前記番組表示手段を選択し、そのユーザが嗜好する番組を表示させる表示選択手段と
を備えることを特徴とする受信装置。
【請求項２】
前記検出手段が前記所定のチャンネルの前記番組を嗜好するユーザの部屋にいる複数のユーザを検出した場合、ユーザの部屋の視聴状況を撮像する撮像手段により撮像された前記ユーザの部屋の視聴状況を、他の部屋で表示する視聴状況表示手段をさらに備える
ことを特徴とする請求項１に記載の受信装置。
【請求項３】
前記撮像手段をさらに備える
ことを特徴とする請求項２に記載の受信装置。
【請求項４】
前記視聴状況表示手段は、前記撮像手段により撮像された前記視聴状況の画像を加工する画像加工手段を有する
ことを特徴とする請求項２に記載の受信装置。
【請求項５】
前記撮像手段により撮像された任意の部屋の視聴状況を他の部屋で表示するかどうかを制御する視聴状況制御手段をさらに備える
ことを特徴とする請求項２に記載の受信装置。
【請求項６】
前記チャンネル選択手段により選択された前記所定のチャンネルの前記番組の画像信号を、高品質な画像信号に変換する画像信号変換手段をさらに備える
ことを特徴とする請求項１に記載の受信装置。
【請求項７】
前記番組の嗜好情報は、前記番組のジャンルを含み、
前記画像信号変換手段は、
前記チャンネル選択手段により選択された前記所定のチャンネルの前記番組の前記画像信号に応じてクラス分類を行うクラス分類手段と、
ジャンルごとであって、クラスごとに予め学習により獲得された予測係数値を記憶する係数記憶手段と、
前記クラス分類手段が出力するクラスで、前記番組のジャンルに対応する前記予測係数値と、前記チャンネル選択手段により選択された前記所定のチャンネルの前記番組の前記画像信号とから、前記高品質な画像信号を演算する演算手段と
を有する
ことを特徴とする請求項６に記載の受信装置。
【請求項８】
前記記憶手段は、前記嗜好情報として、前記ユーザの好みの番組のジャンルと、前記ジャンルの優先順位とを記憶し、
前記チャンネル選択手段は、同一時刻に複数の前記ユーザの好みの番組が存在する場合、前記優先順位が高いジャンルの番組のチャンネルを選択する
ことを特徴とする請求項１に記載の受信装置。
【請求項９】
前記検出手段が前記所定のチャンネルの前記番組を嗜好するユーザの部屋にいる複数のユーザを検出し、かつ、前記ユーザがいると検出された複数の前記部屋が隣接している場合、隣接する前記部屋を隔てる壁を駆動する駆動手段をさらに備える
ことを特徴とする請求項１に記載の受信装置。
【請求項１０】
前記駆動手段をオンまたはオフさせる駆動制御手段をさらに備える
ことを特徴とする請求項９に記載の受信装置。
【請求項１１】
画像信号または音声信号を所定の記録媒体に記録する記録手段をさらに備え、
前記検出手段が、前記チャンネル選択手段により選択された前記所定のチャンネルの前記番組を嗜好するユーザの部屋にユーザがいないと検出した場合、前記記録手段は、前記チャンネル選択手段によって選択された前記所定のチャンネルの前記番組の前記画像信号または音声信号を前記所定の記録媒体に記録する
ことを特徴とする請求項１に記載の受信装置。
【請求項１２】
所定の記録媒体に記録された画像信号または音声信号を再生する再生手段をさらに備え、
前記表示選択手段は、前記検出手段においてユーザがいると検出された前記部屋の前記番組表示手段を選択し、前記再生手段により再生される、そのユーザが嗜好する番組の前記画像信号または音声信号を表示させる
ことを特徴とする請求項１１に記載の受信装置。
【請求項１３】
前記チャンネル選択手段により選択された前記所定のチャンネルの前記番組の画像信号を、高品質な画像信号に変換する画像信号変換手段をさらに備え、
前記記録手段は、前記画像信号変換手段により変換された前記高品質な画像信号を前記所定の記録媒体に記録する
ことを特徴とする請求項１１に記載の受信装置。
【請求項１４】
前記番組の嗜好情報は、前記番組のジャンルを含み、
前記画像信号変換手段は、
前記チャンネル選択手段により選択された前記所定のチャンネルの前記番組の前記画像信号に応じてクラス分類を行うクラス分類手段と、
ジャンルごとであって、クラスごとに予め学習により獲得された予測係数値を記憶する係数記憶手段と、
前記クラス分類手段が出力するクラスで、前記番組のジャンルに対応する前記予測係数値と、前記チャンネル選択手段により選択された前記所定のチャンネルの前記番組の前記画像信号とから、前記高品質な画像信号を演算する演算手段と
を有する
ことを特徴とする請求項１３に記載の受信装置。
【請求項１５】
画像信号または音声信号を記録媒体に記録する第１と第２の記録手段をさらに備え、
前記所定のチャンネルの前記番組を嗜好するユーザが複数いる場合であって、そのうちの一部のユーザが、前記検出手段により前記部屋にいないと検出された場合、
前記第１の記録手段は、前記チャンネル選択手段により選択された前記所定のチャンネルの前記番組の、前記画像または音声信号を記録媒体に記録し、
前記第２の記録手段は、前記検出手段によりユーザが部屋にいると検出された前記部屋のユーザの視聴状況を記録媒体に記録する
ことを特徴とする請求項２に記載の受信装置。
【請求項１６】
所定の画像信号を、高品質な画像信号に変換する画像信号変換手段をさらに備え、
前記画像信号変換手段は、前記検出手段によりユーザがいると検出された前記部屋のユーザの視聴状況の画像信号を、高品質な画像信号に変換し、
前記第２の記録手段は、前記画像信号変換手段により変換された前記高品質な画像信号を記録媒体に記録する
ことを特徴とする請求項１５に記載の受信装置。
【請求項１７】
記録媒体に記録された画像信号または音声信号を再生する第１と第２の再生手段をさらに備え、
前記検出手段が、以前にユーザがいないと検出された前記部屋に、ユーザがいると新たに検出した場合、
前記第１の再生手段は、前記第１の記録手段により記録された、前記チャンネル選択手段により選択された前記所定のチャンネルの前記番組の画像信号または音声信号を再生し、
前記第２の再生手段は、前記第２の記録手段により記録された、前記検出手段によりユーザがいると検出された前記部屋のユーザの視聴状況の画像信号を再生し、
前記表示選択手段は、前記第１の再生手段により再生される、前記ユーザが嗜好する番組を表示させ、
前記視聴状況表示手段は、前記第２の再生手段により再生される、前記ユーザの部屋の視聴状況を、他の部屋で表示する
ことを特徴とする請求項１５に記載の受信装置。
【請求項１８】
所定の画像信号を、高品質な画像信号に変換する画像信号変換手段をさらに備え、
前記画像信号変換手段は、前記第１の再生手段が再生する、前記チャンネル選択手段により選択された前記所定のチャンネルの前記番組の画像信号を、前記高品質な画像信号に変換する
ことを特徴とする請求項１７に記載の受信装置。
【請求項１９】
所定の画像信号を、高品質な画像信号に変換する画像信号変換手段をさらに備え、
前記画像信号変換手段は、前記第２の再生手段が再生する、前記検出手段によりユーザがいると検出された前記部屋のユーザの視聴状況の画像信号を、前記高品質な画像信号に変換する
ことを特徴とする請求項１７に記載の受信装置。
【請求項２０】
前記検出手段が、以前にユーザがいないと検出された前記部屋に、ユーザが部屋にいると新たに検出してから所定時間後に、
前記第１の再生手段は、前記第１の記録手段により記録された、前記チャンネル選択手段により選択された前記所定のチャンネルの前記番組の画像信号または音声信号を再生し、
前記第２の再生手段は、前記第２の記録手段により記録された、前記検出手段によりユーザが部屋にいると検出された前記部屋のユーザの視聴状況の画像信号を再生し、
前記表示選択手段は、前記第１の再生手段により再生される、前記ユーザが嗜好する番組を表示させ、
前記視聴状況表示手段は、前記第２の再生手段により再生される、前記ユーザの部屋の視聴状況を、他の部屋で表示する
ことを特徴とする請求項１７に記載の受信装置。
【請求項２１】
前記記憶手段は、ユーザを認識する認識情報をさらに記憶し、
前記検出手段は、前記認識情報に基づいて、前記ユーザを特定し、前記チャンネル選択手段により選択された前記所定のチャンネルの前記番組を嗜好するユーザが複数の部屋のうちのどの部屋にいるかを検出する
ことを特徴とする請求項１に記載の受信装置。
【請求項２２】
番組の放送信号を受信する受信方法において、
複数のユーザの前記番組の嗜好情報を記憶する記憶手段に記憶された前記ユーザの嗜好情報に基づいて、前記複数のチャンネルの中から所定のチャンネルを選択するチャンネル選択ステップと、
前記チャンネル選択ステップの処理により選択された前記所定のチャンネルの前記番組を嗜好するユーザの部屋にユーザがいるかどうかを検出する検出ステップと、
複数の部屋にそれぞれ設置された複数の番組表示手段のうち、前記検出ステップにおいてユーザがいると検出された前記部屋の前記番組表示手段を選択し、そのユーザが嗜好する番組を表示させる表示選択ステップと
を含むことを特徴とする受信方法。
【請求項２３】
番組の放送信号を受信するプログラムであって、
複数のユーザの前記番組の嗜好情報を記憶する記憶手段に記憶された前記ユーザの嗜好情報に基づいて、前記複数のチャンネルの中から所定のチャンネルを選択するチャンネル選択ステップと、
前記チャンネル選択ステップの処理により選択された前記所定のチャンネルの前記番組を嗜好するユーザの部屋にユーザがいるかどうかを検出する検出ステップと、
複数の部屋にそれぞれ設置された複数の番組表示手段のうち、前記検出ステップにおいてユーザがいると検出された前記部屋の前記番組表示手段を選択し、そのユーザが嗜好する番組を表示させる表示選択ステップと
を含むことを特徴とするコンピュータが読み取り可能なプログラムが記録されている記録媒体。
【請求項２４】
番組の放送信号を受信するプログラムにおいて、
複数のユーザの前記番組の嗜好情報を記憶する記憶手段に記憶された前記ユーザの嗜好情報に基づいて、前記複数のチャンネルの中から所定のチャンネルを選択するチャンネル選択ステップと、
前記チャンネル選択ステップの処理により選択された前記所定のチャンネルの前記番組を嗜好するユーザの部屋にユーザがいるかどうかを検出する検出ステップと、
複数の部屋にそれぞれ設置された複数の番組表示手段のうち、前記検出ステップにおいてユーザがいると検出された前記部屋の前記番組表示手段を選択し、そのユーザが嗜好する番組を表示させる表示選択ステップと
を含む処理をコンピュータに実行させることを特徴とするプログラム。
【請求項２５】
番組の放送信号を受信する受信装置において、
複数のユーザの前記番組の嗜好情報を記憶する記憶手段と、
前記記憶手段に記憶された前記ユーザの嗜好情報に基づいて、前記複数のチャンネルの中から所定のチャンネルを選択するチャンネル選択手段と、
前記チャンネル選択手段により選択された前記所定のチャンネルの前記番組を嗜好するユーザが、複数の部屋のうちのどの部屋にいるかどうかを検出する検出手段と、
前記複数の部屋にそれぞれ設置された複数の番組表示手段のうち、前記検出手段においてユーザがいると検出された前記部屋の前記番組表示手段を選択し、そのユーザが嗜好する番組を表示させる表示選択手段と
を備えることを特徴とする受信装置。
【請求項２６】
番組の放送信号を受信する受信方法において、
複数のユーザの前記番組の嗜好情報を記憶する記憶手段に記憶された前記ユーザの嗜好情報に基づいて、前記複数のチャンネルの中から所定のチャンネルを選択するチャンネル選択ステップと、
前記チャンネル選択ステップの処理により選択された前記所定のチャンネルの前記番組を嗜好するユーザが、複数の部屋のうちのどの部屋にいるかどうかを検出する検出ステップと、
前記複数の部屋にそれぞれ設置された複数の番組表示手段のうち、前記検出ステップにおいてユーザがいると検出された前記部屋の前記番組表示手段を選択し、そのユーザが嗜好する番組を表示させる表示選択ステップと
を含むことを特徴とする受信方法。
【請求項２７】
番組の放送信号を受信するプログラムであって、
複数のユーザの前記番組の嗜好情報を記憶する記憶手段に記憶された前記ユーザの嗜好情報に基づいて、前記複数のチャンネルの中から所定のチャンネルを選択するチャンネル選択ステップと、
前記チャンネル選択ステップの処理により選択された前記所定のチャンネルの前記番組を嗜好するユーザが、複数の部屋のうちのどの部屋にいるかどうかを検出する検出ステップと、
前記複数の部屋にそれぞれ設置された複数の番組表示手段のうち、前記検出ステップにおいてユーザがいると検出された前記部屋の前記番組表示手段を選択し、そのユーザが嗜好する番組を表示させる表示選択ステップと
を含むことを特徴とするコンピュータが読み取り可能なプログラムが記録されている記録媒体。
【請求項２８】
番組の放送信号を受信するプログラムにおいて、
複数のユーザの前記番組の嗜好情報を記憶する記憶手段に記憶された前記ユーザの嗜好情報に基づいて、前記複数のチャンネルの中から所定のチャンネルを選択するチャンネル選択ステップと、
前記チャンネル選択ステップの処理により選択された前記所定のチャンネルの前記番組を嗜好するユーザが、複数の部屋のうちのどの部屋にいるかどうかを検出する検出ステップと、
前記複数の部屋にそれぞれ設置された複数の番組表示手段のうち、前記検出ステップにおいてユーザがいると検出された前記部屋の前記番組表示手段を選択し、そのユーザが嗜好する番組を表示させる表示選択ステップと
を含む処理をコンピュータに実行させることを特徴とするプログラム。
【請求項２９】
番組の放送信号を受信する受信装置において、
前記複数のチャンネルの中から所定のチャンネルを選択するチャンネル選択手段と、
ユーザが部屋にいるかどうかを検出する検出手段と、
所定のキーワードを記憶するキーワード記憶手段と、
前記チャンネル選択手段により選択された前記所定のチャンネルの音声信号と、前記キーワード記憶手段に記憶された前記キーワードとが一致するかどうかを判定する一致判定手段と、
複数の部屋にそれぞれ設置された複数の番組表示手段のうち、前記検出手段においてユーザがいると検出された前記部屋の前記番組表示手段を選択し、そのユーザが嗜好する番組を表示させる表示選択手段と
を備えることを特徴とする受信装置。
【請求項３０】
前記一致判定手段の判定結果に基づいて、前記受信装置が設置されている建物の設備を制御する設備制御手段をさらに備える
ことを特徴とする請求項２９に記載の受信装置。
【請求項３１】
番組の放送信号を受信する受信方法において、
前記複数のチャンネルの中から所定のチャンネルを選択するチャンネル選択ステップと、
ユーザが部屋にいるかどうかを検出する検出ステップと、
前記チャンネル選択ステップの処理により選択された前記所定のチャンネルの音声信号と、所定のキーワードを記憶するキーワード記憶手段に記憶された前記キーワードとが一致するかどうかを判定する一致判定ステップと、
複数の部屋にそれぞれ設置された複数の番組表示手段のうち、前記検出ステップにおいてユーザがいると検出された前記部屋の前記番組表示手段を選択し、そのユーザが嗜好する番組を表示させる表示選択ステップと
を含むことを特徴とする受信方法。
【請求項３２】
番組の放送信号を受信するプログラムであって、
前記複数のチャンネルの中から所定のチャンネルを選択するチャンネル選択ステップと、
ユーザが部屋にいるかどうかを検出する検出ステップと、
前記チャンネル選択ステップの処理により選択された前記所定のチャンネルの音声信号と、所定のキーワードを記憶するキーワード記憶手段に記憶された前記キーワードとが一致するかどうかを判定する一致判定ステップと、
複数の部屋にそれぞれ設置された複数の番組表示手段のうち、前記検出ステップにおいてユーザがいると検出された前記部屋の前記番組表示手段を選択し、そのユーザが嗜好する番組を表示させる表示選択ステップと
を含むことを特徴とするコンピュータが読み取り可能なプログラムが記録されている記録媒体。
【請求項３３】
番組の放送信号を受信するプログラムにおいて、
前記複数のチャンネルの中から所定のチャンネルを選択するチャンネル選択ステップと、
ユーザが部屋にいるかどうかを検出する検出ステップと、
前記チャンネル選択ステップの処理により選択された前記所定のチャンネルの音声信号と、所定のキーワードを記憶するキーワード記憶手段に記憶された前記キーワードとが一致するかどうかを判定する一致判定ステップと、
複数の部屋にそれぞれ設置された複数の番組表示手段のうち、前記検出ステップにおいてユーザがいると検出された前記部屋の前記番組表示手段を選択し、そのユーザが嗜好する番組を表示させる表示選択ステップと
を含む処理をコンピュータに実行させることを特徴とするプログラム。
【発明の詳細な説明】
【技術分野】
【０００１】
本発明は、受信装置および受信方法、記録媒体、並びにプログラムに関し、例えば、建物内に設置された受信装置が受信する放送信号の内容に合わせて、建物内の特徴を利用することにより、ユーザに好都合なように、放送信号の内容を視聴させることができるようにする受信装置および受信方法、記録媒体、並びにプログラムに関する。
【背景技術】
【０００２】
地上アナログ放送／BS（Broadcasting Satellite）またはCS（Communication Satellite）ディジタル放送／地上ディジタル放送などの放送信号を受信し、接続されるディスプレイやスピーカに受信した画像や音声を出力する受信装置がある。そのような受信装置は、例えば、テレビジョン受像機などに採用される。言い換えれば、その受信装置とディスプレイおよびスピーカを一体化させた装置が、例えば、テレビジョン受像機である。
【０００３】
受信装置は、ユーザが受信装置に付属するリモートコマンダ（以下、リモコンと称する）等を操作して選局したチャンネルの放送信号を画像や音声としてディスプレイやスピーカに出力する。これにより、ユーザは、選局したチャンネルの番組を視聴することができる。
【０００４】
近年、急速に普及してきているディジタル放送では、ユーザが選局するチャンネルの数は多数となり、そのためにユーザは所望の番組を放送しているチャンネルを選局する操作に煩わしさを感じることがある。
【０００５】
このようなディジタル放送信号を受信する受信装置において、ユーザの操作性を向上させるために、例えば、受信装置が受信する多数のチャンネルの放送信号のなかから、所望のチャンネルを迅速に選局できるように、お好みのチャンネルを登録するようにしたものがある（例えば、特許文献１参照）。
【０００６】
また、ユーザが指定した所望の番組だけを選択して放送するようにした仮想チャンネルを作成することにより、チャンネル切り替え操作をする必要がないようにした受信装置もある（例えば、特許文献２参照）。
【０００７】
上述したような従来のテレビジョン受像機等に適用される受信装置は、ユーザがチャンネルを選局する場合の操作性の向上を図るものである。
【０００８】
ところで、上述の受信装置およびそれを適用したテレビジョン受像機は、住宅や公共の施設などの建物内（屋内）で利用されるのが一般的である。
【０００９】
【特許文献１】特開２０００−１６５７６９号公報
【特許文献２】特開２０００−３４１５９６号公報
【発明の開示】
【発明が解決しようとする課題】
【００１０】
しかしながら、受信装置と、それが設置される建物とを融合させて（関連付けて）、ユーザにとって使い勝手を良くした受信装置は提案されていなかった。例えば、住宅などの建物に居住するユーザが複数いる場合、その複数のユーザそれぞれが多く利用する部屋は、例えば、自分の部屋などとして決められている。従って、建物の各部屋とそこに設置される受信装置とを関連付けることにより、受信装置において、その部屋を多く利用するユーザに合わせた放送を選局することなどが可能となり、ユーザにとって、自分の好みの番組を視聴しやすく、便利になる。
【００１１】
また、建物内にある受信装置が受信する放送信号の内容に連動させて建物内の設備を積極的（自発的に）に駆動（稼動）するようにすることもこれまで提案されていなかった。例えば、住宅などの建物では、玄関の扉や窓の開閉を自動で行うように自動扉などを設けるようにすることはあったが、それは、単に人間の労力の代わりとして建物内の設備を機械により駆動させるものであり、建物内にある受信装置とは、関連していない。
【００１２】
本発明は、このような状況に鑑みてなされたものであり、建物内に設置された受信装置が受信する放送信号の内容に合わせて、建物内の特徴を利用し、ユーザに好都合なように、放送信号の内容を視聴させることができるようにするものである。
【課題を解決するための手段】
【００１３】
本発明の受信装置は、複数のユーザの番組の嗜好情報を記憶する記憶手段と、記憶手段に記憶されたユーザの嗜好情報に基づいて、複数のチャンネルの中から所定のチャンネルを選択するチャンネル選択手段と、チャンネル選択手段により選択された所定のチャンネルの番組を嗜好するユーザの部屋にユーザがいるかどうかを検出する検出手段と、複数の部屋にそれぞれ設置された複数の番組表示手段のうち、検出手段においてユーザがいると検出された部屋の番組表示手段を選択し、そのユーザが嗜好する番組を表示させる表示選択手段と
を備えることを特徴とする。
【００１４】
検出手段が所定のチャンネルの番組を嗜好するユーザの部屋にいる複数のユーザを検出した場合、ユーザの部屋の視聴状況を撮像する撮像手段により撮像されたユーザの部屋の視聴状況を、他の部屋で表示する視聴状況表示手段をさらに設けることができる。
【００１５】
撮像手段をさらに設けることができる。
【００１６】
視聴状況表示手段には、撮像手段により撮像された視聴状況の画像を加工する画像加工手段を有するようにすることができる。
【００１７】
撮像手段により撮像された任意の部屋の視聴状況を他の部屋で表示するかどうかを制御する視聴状況制御手段をさらに設けることができる。
【００１８】
チャンネル選択手段により選択された所定のチャンネルの番組の画像信号を、高品質な画像信号に変換する画像信号変換手段をさらに設けることができる。
【００１９】
番組の嗜好情報は、番組のジャンルを含み、画像信号変換手段には、チャンネル選択手段により選択された所定のチャンネルの番組の画像信号に応じてクラス分類を行うクラス分類手段と、ジャンルごとであって、クラスごとに予め学習により獲得された予測係数値を記憶する係数記憶手段と、クラス分類手段が出力するクラスで、番組のジャンルに対応する予測係数値と、チャンネル選択手段により選択された所定のチャンネルの番組の画像信号とから、高品質な画像信号を演算する演算手段とを有するようにさせることができる。
【００２０】
記憶手段には、嗜好情報として、ユーザの好みの番組のジャンルと、ジャンルの優先順位とを記憶させ、チャンネル選択手段には、同一時刻に複数のユーザの好みの番組が存在する場合、優先順位が高いジャンルの番組のチャンネルを選択させるようにすることができる。
【００２１】
検出手段が所定のチャンネルの番組を嗜好するユーザの部屋にいる複数のユーザを検出し、かつ、ユーザがいると検出された複数の部屋が隣接している場合、隣接する部屋を隔てる壁を駆動する駆動手段をさらに設けることができる。
【００２２】
駆動手段をオンまたはオフさせる駆動制御手段をさらに設けることができる。
【００２３】
画像信号または音声信号を所定の記録媒体に記録する記録手段をさらに設け、検出手段が、チャンネル選択手段により選択された所定のチャンネルの番組を嗜好するユーザの部屋にユーザがいないと検出した場合、記録手段には、チャンネル選択手段によって選択された所定のチャンネルの番組の画像信号または音声信号を所定の記録媒体に記録させるようにすることができる。
【００２４】
所定の記録媒体に記録された画像信号または音声信号を再生する再生手段をさらに設け、表示選択手段には、検出手段においてユーザがいると検出された部屋の番組表示手段を選択させ、再生手段により再生される、そのユーザが嗜好する番組の画像信号または音声信号を表示させるようにすることができる。
【００２５】
チャンネル選択手段により選択された所定のチャンネルの番組の画像信号を、高品質な画像信号に変換する画像信号変換手段をさらに設け、記録手段には、画像信号変換手段により変換された高品質な画像信号を所定の記録媒体に記録させるようにすることができる。
【００２６】
番組の嗜好情報は、番組のジャンルを含み、画像信号変換手段には、チャンネル選択手段により選択された所定のチャンネルの番組の画像信号に応じてクラス分類を行うクラス分類手段と、ジャンルごとであって、クラスごとに予め学習により獲得された予測係数値を記憶する係数記憶手段と、クラス分類手段が出力するクラスで、番組のジャンルに対応する予測係数値と、チャンネル選択手段により選択された所定のチャンネルの番組の画像信号とから、高品質な画像信号を演算する演算手段とを有するようにさせることができる。
【００２７】
画像信号または音声信号を記録媒体に記録する第１と第２の記録手段をさらに設け、所定のチャンネルの番組を嗜好するユーザが複数いる場合であって、そのうちの一部のユーザが、検出手段により部屋にいないと検出された場合、第１の記録手段には、チャンネル選択手段により選択された所定のチャンネルの番組の、画像または音声信号を記録媒体に記録させ、第２の記録手段には、検出手段によりユーザが部屋にいると検出された部屋のユーザの視聴状況を記録媒体に記録させるようにすることができる。
【００２８】
所定の画像信号を、高品質な画像信号に変換する画像信号変換手段をさらに設け、画像信号変換手段には、検出手段によりユーザがいると検出された部屋のユーザの視聴状況の画像信号を、高品質な画像信号に変換させ、第２の記録手段には、画像信号変換手段により変換された高品質な画像信号を記録媒体に記録させるようにすることができる。
【００２９】
記録媒体に記録された画像信号または音声信号を再生する第１と第２の再生手段をさらに設け、検出手段が、以前にユーザがいないと検出された部屋に、ユーザがいると新たに検出した場合、第１の再生手段には、第１の記録手段により記録された、チャンネル選択手段により選択された所定のチャンネルの番組の画像信号または音声信号を再生させ、第２の再生手段には、第２の記録手段により記録された、検出手段によりユーザがいると検出された部屋のユーザの視聴状況の画像信号を再生させ、表示選択手段には、第１の再生手段により再生される、ユーザが嗜好する番組を表示させ、視聴状況表示手段には、第２の再生手段により再生される、ユーザの部屋の視聴状況を、他の部屋で表示させるようにすることができる。
【００３０】
所定の画像信号を、高品質な画像信号に変換する画像信号変換手段をさらに設け、画像信号変換手段には、第１の再生手段が再生する、チャンネル選択手段により選択された所定のチャンネルの番組の画像信号を、高品質な画像信号に変換させるようにすることができる。
【００３１】
所定の画像信号を、高品質な画像信号に変換する画像信号変換手段をさらに設け、画像信号変換手段には、第２の再生手段が再生する、検出手段によりユーザがいると検出された部屋のユーザの視聴状況の画像信号を、高品質な画像信号に変換させるようにすることができる。
【００３２】
検出手段が、以前にユーザがいないと検出された部屋に、ユーザが部屋にいると新たに検出してから所定時間後に、第１の再生手段には、第１の記録手段により記録された、チャンネル選択手段により選択された所定のチャンネルの番組の画像信号または音声信号を再生させ、第２の再生手段には、第２の記録手段により記録された、検出手段によりユーザが部屋にいると検出された部屋のユーザの視聴状況の画像信号を再生させ、表示選択手段には、第１の再生手段により再生される、ユーザが嗜好する番組を表示させ、視聴状況表示手段には、第２の再生手段により再生される、ユーザの部屋の視聴状況を、他の部屋で表示させるようにすることができる。
【００３３】
記憶手段には、ユーザを認識する認識情報をさらに記憶させ、検出手段には、認識情報に基づいて、ユーザを特定し、チャンネル選択手段により選択された所定のチャンネルの番組を嗜好するユーザが複数の部屋のうちのどの部屋にいるかを検出させるようにすることができる。
【００３４】
本発明の受信方法は、複数のユーザの番組の嗜好情報を記憶する記憶手段に記憶されたユーザの嗜好情報に基づいて、複数のチャンネルの中から所定のチャンネルを選択するチャンネル選択ステップと、チャンネル選択ステップの処理により選択された所定のチャンネルの番組を嗜好するユーザの部屋にユーザがいるかどうかを検出する検出ステップと、複数の部屋にそれぞれ設置された複数の番組表示手段のうち、検出ステップにおいてユーザがいると検出された部屋の番組表示手段を選択し、そのユーザが嗜好する番組を表示させる表示選択ステップとを含むことを特徴とする。
【００３５】
本発明の記録媒体のプログラムは、複数のユーザの番組の嗜好情報を記憶する記憶手段に記憶されたユーザの嗜好情報に基づいて、複数のチャンネルの中から所定のチャンネルを選択するチャンネル選択ステップと、チャンネル選択ステップの処理により選択された所定のチャンネルの番組を嗜好するユーザの部屋にユーザがいるかどうかを検出する検出ステップと、複数の部屋にそれぞれ設置された複数の番組表示手段のうち、検出ステップにおいてユーザがいると検出された部屋の番組表示手段を選択し、そのユーザが嗜好する番組を表示させる表示選択ステップとを含むことを特徴とする。
【００３６】
本発明のプログラムは、複数のユーザの番組の嗜好情報を記憶する記憶手段に記憶されたユーザの嗜好情報に基づいて、複数のチャンネルの中から所定のチャンネルを選択するチャンネル選択ステップと、チャンネル選択ステップの処理により選択された所定のチャンネルの番組を嗜好するユーザの部屋にユーザがいるかどうかを検出する検出ステップと、複数の部屋にそれぞれ設置された複数の番組表示手段のうち、検出ステップにおいてユーザがいると検出された部屋の番組表示手段を選択し、そのユーザが嗜好する番組を表示させる表示選択ステップとをコンピュータに実行させることを特徴とする。
【００３７】
本発明の受信装置は、複数のユーザの番組の嗜好情報を記憶する記憶手段と、記憶手段に記憶されたユーザの嗜好情報に基づいて、複数のチャンネルの中から所定のチャンネルを選択するチャンネル選択手段と、チャンネル選択手段により選択された所定のチャンネルの番組を嗜好するユーザが、複数の部屋のうちのどの部屋にいるかどうかを検出する検出手段と、複数の部屋にそれぞれ設置された複数の番組表示手段のうち、検出手段においてユーザがいると検出された部屋の番組表示手段を選択し、そのユーザが嗜好する番組を表示させる表示選択手段とを備えることを特徴とする。
【００３８】
本発明の受信方法は、複数のユーザの番組の嗜好情報を記憶する記憶手段に記憶されたユーザの嗜好情報に基づいて、複数のチャンネルの中から所定のチャンネルを選択するチャンネル選択ステップと、チャンネル選択ステップの処理により選択された所定のチャンネルの番組を嗜好するユーザが、複数の部屋のうちのどの部屋にいるかどうかを検出する検出ステップと、複数の部屋にそれぞれ設置された複数の番組表示手段のうち、検出ステップにおいてユーザがいると検出された部屋の番組表示手段を選択し、そのユーザが嗜好する番組を表示させる表示選択ステップとを含むことを特徴とする。
【００３９】
本発明の記録媒体のプログラムは、複数のユーザの番組の嗜好情報を記憶する記憶手段に記憶されたユーザの嗜好情報に基づいて、複数のチャンネルの中から所定のチャンネルを選択するチャンネル選択ステップと、チャンネル選択ステップの処理により選択された所定のチャンネルの番組を嗜好するユーザが、複数の部屋のうちのどの部屋にいるかどうかを検出する検出ステップと、複数の部屋にそれぞれ設置された複数の番組表示手段のうち、検出ステップにおいてユーザがいると検出された部屋の番組表示手段を選択し、そのユーザが嗜好する番組を表示させる表示選択ステップとを含むことを特徴とする。
【００４０】
本発明のプログラムは、複数のユーザの番組の嗜好情報を記憶する記憶手段に記憶されたユーザの嗜好情報に基づいて、複数のチャンネルの中から所定のチャンネルを選択するチャンネル選択ステップと、チャンネル選択ステップの処理により選択された所定のチャンネルの番組を嗜好するユーザが、複数の部屋のうちのどの部屋にいるかどうかを検出する検出ステップと、複数の部屋にそれぞれ設置された複数の番組表示手段のうち、検出ステップにおいてユーザがいると検出された部屋の番組表示手段を選択し、そのユーザが嗜好する番組を表示させる表示選択ステップとをコンピュータに実行させることを特徴とする。
【００４１】
本発明の受信装置は、複数のチャンネルの中から所定のチャンネルを選択するチャンネル選択手段と、ユーザが部屋にいるかどうかを検出する検出手段と、所定のキーワードを記憶するキーワード記憶手段と、チャンネル選択手段により選択された所定のチャンネルの音声信号と、キーワード記憶手段に記憶されたキーワードとが一致するかどうかを判定する一致判定手段と、複数の部屋にそれぞれ設置された複数の番組表示手段のうち、検出手段においてユーザがいると検出された部屋の番組表示手段を選択し、そのユーザが嗜好する番組を表示させる表示選択手段とを備えることを特徴とする。
【００４２】
一致判定手段の判定結果に基づいて、受信装置が設置されている建物の設備を制御する設備制御手段をさらに設けることができる。
【００４３】
本発明の受信方法は、複数のチャンネルの中から所定のチャンネルを選択するチャンネル選択ステップと、ユーザが部屋にいるかどうかを検出する検出ステップと、チャンネル選択ステップの処理により選択された所定のチャンネルの音声信号と、所定のキーワードを記憶するキーワード記憶手段に記憶されたキーワードとが一致するかどうかを判定する一致判定ステップと、複数の部屋にそれぞれ設置された複数の番組表示手段のうち、検出ステップにおいてユーザがいると検出された部屋の番組表示手段を選択し、そのユーザが嗜好する番組を表示させる表示選択ステップとを含むことを特徴とする。
【００４４】
本発明の記録媒体のプログラムは、複数のチャンネルの中から所定のチャンネルを選択するチャンネル選択ステップと、ユーザが部屋にいるかどうかを検出する検出ステップと、チャンネル選択ステップの処理により選択された所定のチャンネルの音声信号と、所定のキーワードを記憶するキーワード記憶手段に記憶されたキーワードとが一致するかどうかを判定する一致判定ステップと、複数の部屋にそれぞれ設置された複数の番組表示手段のうち、検出ステップにおいてユーザがいると検出された部屋の番組表示手段を選択し、そのユーザが嗜好する番組を表示させる表示選択ステップとを含むことを特徴とする。
【００４５】
本発明のプログラムは、複数のチャンネルの中から所定のチャンネルを選択するチャンネル選択ステップと、ユーザが部屋にいるかどうかを検出する検出ステップと、チャンネル選択ステップの処理により選択された所定のチャンネルの音声信号と、所定のキーワードを記憶するキーワード記憶手段に記憶されたキーワードとが一致するかどうかを判定する一致判定ステップと、複数の部屋にそれぞれ設置された複数の番組表示手段のうち、検出ステップにおいてユーザがいると検出された部屋の番組表示手段を選択し、そのユーザが嗜好する番組を表示させる表示選択ステップとをコンピュータに実行させることを特徴とする。
【００４６】
受信装置は、独立した装置であっても良いし、１つの装置の受信処理を行うブロックであっても良い。
【発明の効果】
【００４７】
本発明によれば、建物内に設置された受信装置が受信する放送信号の内容に合わせて、建物内の特徴を利用することにより、ユーザに好都合なように、放送信号を視聴させることができるようにすることができる。
【発明を実施するための最良の形態】
【００４８】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００４９】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００５０】
請求項１に記載の受信装置は、番組の放送信号を受信する受信装置（例えば、図２の受信装置１）において、
複数のユーザの前記番組の嗜好情報を記憶する記憶手段（例えば、図２のメモリ３６）と、
前記記憶手段に記憶された前記ユーザの嗜好情報に基づいて、前記複数のチャンネルの中から所定のチャンネルを選択するチャンネル選択手段（例えば、図２のチューナ１１）と、
前記チャンネル選択手段により選択された前記所定のチャンネルの前記番組を嗜好するユーザの部屋にユーザがいるかどうかを検出する検出手段（例えば、図２のセンサ３７）と、
複数の部屋にそれぞれ設置された複数の番組表示手段（例えば、図２のディスプレイ２２）のうち、前記検出手段においてユーザがいると検出された前記部屋の前記番組表示手段を選択し、そのユーザが嗜好する番組を表示させる表示選択手段（例えば、図２のセレクタ２０）と
を備えることを特徴とする。
【００５１】
請求項２に記載の受信装置は、前記検出手段が前記所定のチャンネルの前記番組を嗜好するユーザの部屋にいる複数のユーザを検出した場合、ユーザの部屋の視聴状況を撮像する撮像手段（例えば、図１２のカメラ１２１）により撮像された前記ユーザの部屋の視聴状況を、他の部屋で表示する視聴状況表示手段（例えば、図１２の映写機１２２）をさらに備える
ことを特徴とする。
【００５２】
請求項４に記載の受信装置は、前記視聴状況表示手段は、前記撮像手段により撮像された前記視聴状況の画像を加工する画像加工手段（例えば、図１５の画像加工部１３２）を有する
ことを特徴とする。
【００５３】
請求項５に記載の受信装置は、前記撮像手段により撮像された任意の部屋の視聴状況を他の部屋で表示するかどうかを制御する視聴状況制御手段（例えば、図２のコントローラ３１）をさらに備える
ことを特徴とする。
【００５４】
請求項６に記載の受信装置は、前記チャンネル選択手段により選択された前記所定のチャンネルの前記番組の画像信号を、高品質な画像信号に変換する画像信号変換手段（例えば、図２のDRC部１７）をさらに備える
ことを特徴とする。
【００５５】
請求項７に記載の受信装置は、前記番組の嗜好情報は、前記番組のジャンルを含み、
前記画像信号変換手段は、
前記チャンネル選択手段により選択された前記所定のチャンネルの前記番組の前記画像信号に応じてクラス分類を行うクラス分類手段（例えば、図４のクラス分類部５２）と、
ジャンルごとであって、クラスごとに予め学習により獲得された予測係数値を記憶する係数記憶手段（例えば、図４の係数発生部５５）と、
前記クラス分類手段が出力するクラスで、前記番組のジャンルに対応する前記予測係数値と、前記チャンネル選択手段により選択された前記所定のチャンネルの前記番組の前記画像信号とから、前記高品質な画像信号を演算する演算手段（例えば、図４の予測演算部５６）と
を有する
ことを特徴とする。
【００５６】
請求項９に記載の受信装置は、前記検出手段が前記所定のチャンネルの前記番組を嗜好するユーザの部屋にいる複数のユーザを検出し、かつ、前記ユーザがいると検出された複数の前記部屋が隣接している場合、隣接する前記部屋を隔てる壁を駆動する駆動手段（例えば、図１７のアクチュエータ１４１）をさらに備える
ことを特徴とする。
【００５７】
請求項１０に記載の受信装置は、前記駆動手段をオンまたはオフさせる駆動制御手段（例えば、図１７のコントローラ３１）をさらに備える
ことを特徴とする。
【００５８】
請求項１１に記載の受信装置は、画像信号または音声信号を所定の記録媒体（例えば、図１９の記録媒体１５２）に記録する記録手段（例えば、図１９の記録再生装置１５１）をさらに備え、
前記検出手段が、前記チャンネル選択手段により選択された前記所定のチャンネルの前記番組を嗜好するユーザの部屋にユーザがいないと検出した場合、前記記録手段は、前記チャンネル選択手段によって選択された前記所定のチャンネルの前記番組の前記画像信号または音声信号を前記所定の記録媒体に記録する
ことを特徴とする。
【００５９】
請求項１２に記載の受信装置は、所定の記録媒体に記録された画像信号または音声信号を再生する再生手段（例えば、図１９の記録再生装置１５１）をさらに備え、
前記表示選択手段は、前記検出手段においてユーザがいると検出された前記部屋の前記番組表示手段を選択し、前記再生手段により再生される、そのユーザが嗜好する番組の前記画像信号または音声信号を表示させる
ことを特徴とする。
【００６０】
請求項１５に記載の受信装置は、画像信号または音声信号を記録媒体に記録する第１と第２の記録手段（例えば、図１９の記録再生装置１５１−１と１５１−２）をさらに備え、
前記所定のチャンネルの前記番組を嗜好するユーザが複数いる場合であって、そのうちの一部のユーザが、前記検出手段により前記部屋にいないと検出された場合、
前記第１の記録手段は、前記チャンネル選択手段により選択された前記所定のチャンネルの前記番組の、前記画像または音声信号を記録媒体に記録し、
前記第２の記録手段は、前記検出手段によりユーザが部屋にいると検出された前記部屋のユーザの視聴状況を記録媒体に記録する
ことを特徴とする。
【００６１】
請求項１７に記載の受信装置は、記録媒体に記録された画像信号または音声信号を再生する第１と第２の再生手段（例えば、図１９の記録再生装置１５１−１と１５１−２）をさらに備え、
前記検出手段が、以前にユーザがいないと検出された前記部屋に、ユーザがいると新たに検出した場合、
前記第１の再生手段は、前記第１の記録手段により記録された、前記チャンネル選択手段により選択された前記所定のチャンネルの前記番組の画像信号または音声信号を再生し、
前記第２の再生手段は、前記第２の記録手段により記録された、前記検出手段によりユーザがいると検出された前記部屋のユーザの視聴状況の画像信号を再生し、
前記表示選択手段は、前記第１の再生手段により再生される、前記ユーザが嗜好する番組を表示させ、
前記視聴状況表示手段は、前記第２の再生手段により再生される、前記ユーザの部屋の視聴状況を、他の部屋で表示する
ことを特徴とする。
【００６２】
請求項２１に記載の受信装置は、前記記憶手段は、ユーザを認識する認識情報（例えば、図２３のパターン情報Ａ乃至Ｅ）をさらに記憶し、
前記検出手段は、前記認識情報に基づいて、前記ユーザを特定し、前記チャンネル選択手段により選択された前記所定のチャンネルの前記番組を嗜好するユーザが複数の部屋のうちのどの部屋にいるかを検出する
ことを特徴とする。
【００６３】
請求項２２に記載の受信方法は、番組の放送信号を受信する受信方法において、
複数のユーザの前記番組の嗜好情報を記憶する記憶手段に記憶された前記ユーザの嗜好情報に基づいて、前記複数のチャンネルの中から所定のチャンネルを選択するチャンネル選択ステップ（例えば、図１０のステップＳ３１）と、
前記チャンネル選択ステップの処理により選択された前記所定のチャンネルの前記番組を嗜好するユーザの部屋にユーザがいるかどうかを検出する検出ステップ（例えば、図１０のステップＳ３２）と、
複数の部屋にそれぞれ設置された複数の番組表示手段のうち、前記検出ステップにおいてユーザがいると検出された前記部屋の前記番組表示手段を選択し、そのユーザが嗜好する番組を表示させる表示選択ステップ（例えば、図１０のステップＳ３５）と
を含む
ことを特徴とする。
【００６４】
請求項２３に記載の記録媒体のプログラム、請求項２４に記載のプログラムの各ステップの具体例も、請求項２２に記載の受信方法の各ステップの発明の実施の形態における具体例と同様である。
【００６５】
請求項２６に記載の受信方法は、番組の放送信号を受信する受信方法において、
複数のユーザの前記番組の嗜好情報を記憶する記憶手段に記憶された前記ユーザの嗜好情報に基づいて、前記複数のチャンネルの中から所定のチャンネルを選択するチャンネル選択ステップ（例えば、図１２４のステップＳ２２１）と、
前記チャンネル選択ステップの処理により選択された前記所定のチャンネルの前記番組を嗜好するユーザが、複数の部屋のうちのどの部屋にいるかどうかを検出する検出ステップ（例えば、図１２４のステップＳ２２２）と、
前記複数の部屋にそれぞれ設置された複数の番組表示手段のうち、前記検出ステップにおいてユーザがいると検出された前記部屋の前記番組表示手段を選択し、そのユーザが嗜好する番組を表示させる表示選択ステップ（例えば、図１２４のステップＳ２２６）と
を含む
ことを特徴とする。
【００６６】
請求項２７に記載の記録媒体のプログラム、請求項２８に記載のプログラムの各ステップの具体例も、請求項２６に記載の受信方法の各ステップの発明の実施の形態における具体例と同様である。
【００６７】
請求項２９に記載の受信装置は、番組の放送信号を受信する受信装置において、
前記複数のチャンネルの中から所定のチャンネルを選択するチャンネル選択手段（例えば、図２８のチューナ１１）と、
ユーザが部屋にいるかどうかを検出する検出手段（例えば、図２８のセンサ３７）と、
所定のキーワードを記憶するキーワード記憶手段（例えば、図２９の音声メモリ３３２）と、
前記チャンネル選択手段により選択された前記所定のチャンネルの音声信号と、前記キーワード記憶手段に記憶された前記キーワードとが一致するかどうかを判定する一致判定手段（例えば、図２９のマッチング回路３２３）と、
複数の部屋にそれぞれ設置された複数の番組表示手段のうち、前記検出手段においてユーザがいると検出された前記部屋の前記番組表示手段を選択し、そのユーザが嗜好する番組を表示させる表示選択手段（例えば、図２８のセレクタ２０）と
を備える
ことを特徴とする。
【００６８】
請求項３０に記載の受信装置は、前記一致判定手段の判定結果に基づいて、前記受信装置が設置されている建物の設備を制御する設備制御手段（例えば、図３１のアクチュエータ３４１）をさらに備えることを特徴とする。
【００６９】
請求項３１に記載の受信方法は、番組の放送信号を受信する受信方法において、
前記複数のチャンネルの中から所定のチャンネルを選択するチャンネル選択ステップ（例えば、図３０のステップＳ３１１）と、
ユーザが部屋にいるかどうかを検出する検出ステップ（例えば、図３０のステップＳ３１３）と、
前記チャンネル選択ステップの処理により選択された前記所定のチャンネルの音声信号と、所定のキーワードを記憶するキーワード記憶手段に記憶された前記キーワードとが一致するかどうかを判定する一致判定ステップ（例えば、図３０のステップＳ３１２）と、
複数の部屋にそれぞれ設置された複数の番組表示手段のうち、前記検出ステップにおいてユーザがいると検出された前記部屋の前記番組表示手段を選択し、そのユーザが嗜好する番組を表示させる表示選択ステップ（例えば、図３０のステップＳ３１４）と
を含む
ことを特徴とする。
【００７０】
請求項３２に記載の記録媒体のプログラム、請求項３３に記載のプログラムの各ステップの具体例も、請求項３１に記載の受信方法の各ステップの発明の実施の形態における具体例と同様である。
【００７１】
図１は、本発明を適用した住宅システム（システムとは、複数の物が論理的に集合したものをいい、各構成の物が同一筐体中にあるか否かは問わない）を示している。
【００７２】
図１の住宅システムでは、放送局から電波として送信されてくる番組等の放送信号が受信される。住宅システムの住人であるユーザは、建物内の部屋（図示せず）で、放送信号から得られる番組を視聴する。
【００７３】
ここで、図１の住宅システムの住人であるユーザは、例えば、５人いるものとする。その５人のユーザをユーザA、ユーザB、ユーザC、ユーザD、およびユーザEとする。
【００７４】
図２は、図１の住宅システムの建物内に設置される受信装置１の第1実施の形態の構成例を示すブロック図である。
【００７５】
チューナ１１には、図示せぬアンテナが受信したディジタル放送の放送信号が供給される。このディジタル放送の放送信号は、MPEG(Moving Picture Experts Group)-2等により規定されるディジタルデータであり、複数のTS（Transport Stream:トランスポートストリーム）パケットで構成されるトランスポートストリームとして送信されてくる。チューナ１１は、コントローラ３１の制御に基づいて、アンテナから供給される複数のチャンネルの放送信号の中から、所定のチャンネル（周波数）の放送信号を選択し、その選択したチャンネルの放送信号を復調部１２に供給する。
【００７６】
後述するメモリ３６には、ユーザの嗜好情報として、５人のユーザＡ乃至Ｅそれぞれと好みの番組のジャンルとが対応付けられて記憶されている。また、そのメモリ３６には、ジャンルの優先順位も記憶されている。コントローラ３１は、メモリ３６に記憶されているユーザの嗜好情報を参照して、ユーザの好みのジャンルの番組を放送しているチャンネルを選択するように、チューナ１１を制御する。従って、チューナ１１は、メモリ３６に記憶されたユーザの嗜好情報に基づいて、アンテナから供給される複数のチャンネルの放送信号の中から、所定のチャンネルの放送信号を選択する。
【００７７】
また、同一時刻に複数の、ユーザの好みのジャンルが異なる番組が放送されている場合、コントローラ３１は、メモリ３６に記憶されているジャンルの優先順位に基づいて、ジャンルの優先順位が高いジャンルの番組を放送しているチャンネルを選択するように、チューナ１１を制御する。
【００７８】
なお、コントローラ３１は、例えば、EPG（Electronic Program Guide：電子番組表）等を利用することにより、ユーザの好みのジャンルが放送されているチャンネルや番組を知ることができる。
【００７９】
復調部１２は、コントローラ３１の制御に基づいて、チューナ１１から供給される所定のチャンネルの放送信号のトランスポートストリームを、例えば、QPSK(Quadrature Phase Shift Keying)復調等で復調し、それにより得られたトランスポートストリームをエラー訂正処理部１３に供給する。
【００８０】
エラー訂正処理部１３では、コントローラ３１の制御に基づいて、復調部１２から供給されたトランスポートストリームについて、エラーが検出、訂正される。そして、訂正処理後のトランスポートストリームが、デマルチプレクサ１４に供給される。
【００８１】
デマルチプレクサ１４は、コントローラ３１の制御に基づいて、エラー訂正処理部１３から供給されるトランスポートストリームを、必要に応じて、デスクランブル処理する。また、デマルチプレクサ１４は、コントローラ３１の制御に基づいて、ＴＳパケットのPID（Packet Identifier：パケット識別子）を参照することにより、エラー訂正処理部１３から供給されるトランスポートストリームから、ユーザの好みのジャンルの番組のＴＳパケットを抽出する。
【００８２】
そして、デマルチプレクサ１４は、そのユーザの好みのジャンルの番組のTSパケットのうち、ビデオデータをビデオデコーダ１５に、オーディオデータをオーディオデコーダ１６に、それぞれ供給する。
【００８３】
ビデオデコーダ１５は、デマルチプレクサ１４から供給されるビデオデータをMPEG-2方式でデコードし、DRC(Digital Reality Creation)部１７および合成部１８に供給する。
【００８４】
オーディオデコーダ１６は、デマルチプレクサ１４から供給されるオーディオデータをMPEG-2方式でデコードし、セレクタ２１に供給する。
【００８５】
DRC部１７は、ビデオデコーダ１５が出力する画像信号（ビデオデータ）を第1の画像信号として、その第１の画像信号を、第２の画像信号としての高品質の画像信号（ビデオデータ）に変換する。そして、DRC部１７は、高品質の画像信号（ビデオデータ）を合成部１８に供給（出力）する。なお、以下において、高品質の画像信号（ビデオデータ）は、例えば、画像信号の解像度を向上させた高画質の画像信号を表すものとする。
【００８６】
合成部１８は、DRC部１７からビデオデータが供給される場合は、そのビデオデータを選択する。一方、DRC部１７からビデオデータが供給されない場合は、合成部１８は、ビデオデコーダ１５から供給されるビデオデータを選択する。また、合成部１８は、ビデオデコーダ１５またはDRC部１７から供給されるビデオデータのうちの選択した方にOSD(On Screen Display)部１９から供給されるビデオデータを重畳して、セレクタ２０に供給する。なお、OSD部１９からビデオデータが供給されない場合には、合成部１８は、ビデオデコーダ１５またはDRC部１７から供給されたビデオデータのうちの選択した方をそのままセレクタ２０に供給する。
【００８７】
OSD部１９は、コントローラ３１の制御に基づいて、例えば、現在選択されているチャンネルの番号や音量などのビデオデータを生成し、合成部１８に供給する。
【００８８】
セレクタ２０は、コントローラ３１の制御に基づいて、合成部１８から供給されるビデオデータを出力するディスプレイをディスプレイ２２−１乃至２２−５の中から選択する。そして、セレクタ２０は、選択したディスプレイ２２−１乃至２２−５のいずれか１つに、合成部１８から供給されるビデオデータを供給する。また、セレクタ２０は、ディスプレイ２２−１乃至２２−５から複数を選択して、その選択された複数のディスプレイにビデオデータを供給することもできる。
【００８９】
ディスプレイ２２−１乃至２２−５は、図１の住宅システムに設けられている部屋１乃至５にそれぞれ設置されている。ディスプレイ２２−１乃至２２−５それぞれは、セレクタ２０からビデオデータが供給されると、そのビデオデータを、例えばNTSC(National Television System Committee)方式のビデオデータに変換し、その結果得られる画像を表示する。なお、以下において、ディスプレイ２２−１乃至２２−５を特に区別する必要がない場合には、ディスプレイ２２と称する。
【００９０】
ここで、ディスプレイ２２としては、例えば、LCD(Liquid Crystal Display)やPDP(Plasma Display Panel)などのフラットディスプレイパネルを採用することができる。この場合、ディスプレイ２２は、図１の住宅システムの部屋の壁に埋め込む形で、壁と一体的に設置することができる。また、ディスプレイ２２としては、その他、部屋の１以上の壁をスクリーンとするプロジェクタ等を採用することができる。
【００９１】
セレクタ２１は、コントローラ３１の制御に基づいて、オーディオデコーダ１６から供給されるオーディオデータを出力するスピーカをスピーカ２３−１乃至２３−５の中から選択する。そして、セレクタ２１は、選択したスピーカ２３−１乃至２３−５のいずれか１つに、オーディオデコーダ１６から供給されるオーディオデータを供給する。また、セレクタ２１は、スピーカ２３−１乃至２３−５から複数を選択して、その選択された複数のスピーカにオーディオデータを供給することもできる。
【００９２】
スピーカ２３−１乃至２３−５は、図１の住宅システムに設けられている部屋１乃至５にそれぞれ設置されている。スピーカ２３−１乃至２３−５それぞれは、セレクタ２１からオーディオデータが供給されると、そのオーディオデータをアナログ変換し、音声として出力する。なお、以下において、スピーカ２３−１乃至２３−５を特に区別する必要がない場合には、スピーカ２３と称する。
【００９３】
ここで、スピーカ２３は、上述したディスプレイ２２と一体化された形、あるいは、スピーカ２３単独で、図１の住宅システムの部屋の壁や床に埋め込む形で設置することができる。
【００９４】
コントローラ３１は、メモリ３６に記憶されたプログラムに従って、各種の処理を実行し、これにより、例えば、チューナ１１、復調部１２、エラー訂正処理部１３、デマルチプレクサ１４、ビデオデコーダ１５、オーディオデコーダ１６、DRC部１７、OSD部１９、セレクタ２０、およびセレクタ２１を制御する。また、コントローラ３１は、キー入力部３２やリモコンI/F３４から供給される、ユーザの操作に対応する操作信号に基づいて、各種の処理を実行する。
【００９５】
例えば、コントローラ３１は、上述したように、メモリ３６に記憶されているユーザの嗜好情報に基づいて、ユーザの好みのジャンルの番組を放送しているチャンネルを選択するように、チューナ１１を制御する。また、コントローラ３１は、後述するセンサ３７−１乃至３７−５により部屋１乃至５にユーザがいると検出された場合、その部屋１乃至５に設置されたディスプレイ２２およびスピーカ２３を選択するように、セレクタ２０および２１を制御する。
【００９６】
キー入力部３２は、例えば、スイッチボタンなどで構成され、ユーザが所望のチャンネルを選択する際の操作などを受け付け、そのユーザの操作に対応する操作信号をコントローラ３１に供給する。表示部３３は、コントローラ３１から供給される制御信号に基づいて、例えば、受信装置１が処理している処理状態などを表示する。例えば、表示部３３は、チューナ１１において選択されているチャンネルなどを表示する。
【００９７】
リモコンI/F（InterFace）３４は、受光部３５から供給される、ユーザの操作に対応する操作信号をコントローラ３１に供給する。受光部３５は、リモートコマンダ(図示せず)から送信されるユーザの操作に対応する操作信号を受信（受光）し、リモコンI/F３４に供給する。
【００９８】
メモリ３６は、例えば、ハードディスクや半導体メモリ等で構成され、コントローラ３１が各種の処理を実行するためのプログラムやデータなどを記憶している。このコントローラ３１が各種の処理を実行するためのプログラムは、例えば、磁気ディスク（フロッピディスクを含む）、光ディスク（CD-ROM(Compact Disk-Read Only Memory),DVD(Digital Versatile Disk)を含む）、光磁気ディスク（ＭＤ（Mini-Disk）を含む）、もしくは半導体メモリなどの記録媒体に記録され、その記録媒体やインターネット等のネットワークを介して、メモリ３６にインストールされる。
【００９９】
また、メモリ３６は、上述したように、ユーザの嗜好情報として、５人のユーザＡ乃至Ｅそれぞれと好みの番組のジャンルとを対応付けて記憶している。また、メモリ３６には、ジャンルの優先順位も記憶されている。
【０１００】
さらに、メモリ３６には、５人のユーザA乃至Eと、部屋１乃至５、ディスプレイ２２−１乃至２２−５、スピーカ２３−１乃至２３−５、およびセンサ３７−１乃至３７−５との対応関係が記憶されている。すなわち、メモリ３６には、例えば、ユーザAの部屋は、どの部屋で、その部屋にはディスプレイ２２−１乃至２２−５、スピーカ２３−１乃至２３−５、およびセンサ３７−１乃至３７−５のいずれが設置されているかの情報も記憶されている。
【０１０１】
なお、メモリ３６に記憶されている、ユーザの嗜好情報等の記憶内容（データ）の詳細については、図３を参照して後述する。
【０１０２】
センサ３７−１乃至３７−５は、部屋１乃至５にそれぞれ設置されており、部屋１乃至５内にユーザがいるかどうかを検出する。そして、センサ３７−１乃至３７−５は、部屋１乃至５内にユーザを検出した場合、ユーザが部屋にいることを検出した（ユーザが部屋にいることを表す）検出信号をコントローラ３１に供給する。図３を参照して後述するように、メモリ３６には、ユーザA乃至Eと部屋１乃至５が対応付けて記憶されており、コントローラ３１は、センサ３７−１乃至３７−５から供給される検出信号と、メモリ３６に記憶されているユーザA乃至Eと、センサ３７−１乃至３７−５および部屋１乃至５との対応関係から、ユーザA乃至Eのうちのいずれのユーザの部屋に、ユーザ（人）がいるかを認識することができる。ここで、センサ３７−１乃至３７−５としては、例えば、温度センサ、赤外線センサ、または超音波センサなどを採用することができる。なお、以下において、センサ３７−１乃至３７−５を特に区別する必要がない場合には、センサ３７と称する。
【０１０３】
以上のように構成される受信装置１は、次のようにして、ユーザA乃至Eがいる部屋１乃至５のディスプレイ２２−１乃至２２−５とスピーカ２３−１乃至２３−５から、ディジタル放送の番組としての画像と音声を出力する。
【０１０４】
即ち、コントローラ３１は、ユーザが所望する（お好みの）ジャンルの番組を検出する。チューナ１１は、アンテナで受信されたディジタル放送の放送信号としてのトランスポートストリームの中から、ユーザが所望する（お好みの）ジャンルの番組のチャンネルの放送信号を選択する。そして、コントローラ３１が検出した番組のジャンルをお好みのジャンルとして登録しているユーザA乃至Eが部屋にいるかどうかが、センサ３７−１乃至３７−５によって検出される。
【０１０５】
コントローラ３１が検出した番組のジャンルをお好みのジャンルとして登録しているユーザA乃至Eが部屋にいることが検出された場合、コントローラ３１が検出した番組のトランスポートストリームが、復調部１２、およびエラー訂正処理部１３を介して、デマルチプレクサ１４に供給される。
【０１０６】
デマルチプレクサ１４は、ユーザのお好みのジャンルの番組のTSパケットのうち、ビデオデータをビデオデコーダ１５に、オーディオデータをオーディオデコーダ１６に、それぞれ供給する。
【０１０７】
ビデオデコーダ１５において、デマルチプレクサ１４から供給されるTSパケットのビデオデータがMPEGデコードされ、その結果得られるビデオデータが、DRC部１７において、高品質画像のビデオデータに変換されて、セレクタ２０に供給される。
【０１０８】
また、オーディオデコーダ１６において、デマルチプレクサ１４から供給されるTSパケットのオーディオデータがMPEGデコードされ、その結果得られるオーディオデータがセレクタ２１に供給される。
【０１０９】
セレクタ２０および２１では、部屋１乃至５にそれぞれ設置されたディスプレイ２２−１乃至２２−５およびスピーカ２３−１乃至２３−５のうち、コントローラ３１が検出した番組のジャンルをお好みのジャンルとしてメモリ３６に記憶されているユーザA乃至Eがいると検出された部屋１乃至５に対応するディスプレイおよびスピーカが選択される。
【０１１０】
従って、受信された番組を好みのジャンルの番組として嗜好するユーザの部屋にユーザがいる場合に、その部屋のディスプレイ２２−１乃至２２−５およびスピーカ２３−１乃至２３−５に、その番組の画像と音声が出力される。ここで、受信された番組を好みのジャンルの番組として嗜好するユーザA乃至Eが複数いる場合には、そのすべてのユーザの部屋のディスプレイおよびスピーカに、その番組の画像と音声が出力される。
【０１１１】
図３は、図２のメモリ３６に記憶されているユーザA乃至Eに関するデータを示している。
【０１１２】
図３のメモリ３６では、５人のユーザA乃至Eそれぞれが、どのようなジャンルの番組を嗜好するかを表す嗜好情報と、ジャンルの優先順位とが記憶（登録）されている。
【０１１３】
図３左側の表に示すように、メモリ３６に記憶されている番組のジャンルとしては、スポーツ全般、サッカー、大リーグ、アニメ、ニュース全般、およびドラマなどがある。本実施の形態では、番組のジャンルとは、スポーツ全般、サッカー、大リーグ、アニメ、ニュース全般、およびドラマの６つのジャンルを表すものとする。
【０１１４】
また、スポーツ全般のジャンルを嗜好するユーザとしては、ユーザA、B、およびCが登録されている。さらに、サッカーを嗜好するユーザとしては、ユーザAとBが登録されている。同様に、大リーグ、アニメ、ニュース全般、およびドラマを嗜好するユーザとして、ユーザAとC、ユーザDとE、ユーザD、およびユーザCとEがそれぞれ登録されている。
【０１１５】
また、各ジャンルの優先順位としては、ニュース全般が１位の優先順位、サッカーが２位の優先順位に登録されている。以下、同様に、大リーグ、スポーツ全般、アニメ、およびドラマが、順に、３位、４位、５位、および６位の優先順位に登録されている。
【０１１６】
従って、スポーツ全般、サッカー、大リーグ、アニメ、ニュース全般、またはドラマのジャンルの番組がチューナ１１において検出された場合、コントローラ３１は、図３左側の表のデータを参照することにより、そのジャンルを嗜好するユーザが誰であるかを決定（認識）することができる。
【０１１７】
また、同一時刻に複数の、ユーザの好みのジャンルが異なる番組が放送されている場合、コントローラ３１は、図３左側の表のデータを参照することにより、ジャンルの優先順位がより高いジャンルの番組を、チューナ１１に選択させることができる。
【０１１８】
また、図３右側の表に示すように、図２のメモリ３６には、ユーザA乃至Eそれぞれに対して、部屋１乃至５とディスプレイ２２−１乃至２２−５（ディスプレイ１乃至５）およびスピーカ２３−１乃至２３−５（SP１乃至５）とが対応付けられて記憶されている。
【０１１９】
即ち、ユーザAの部屋は、部屋１であり、その部屋１に設置されているディスプレイとスピーカは、ディスプレイ２２−１とスピーカ２３−１であることが記憶されている。また、ユーザBの部屋は、部屋２であり、その部屋２に設置されているディスプレイとスピーカは、ディスプレイ２２−２とスピーカ２３−２であることが記憶されている。同様に、ユーザC乃至Eそれぞれについても、ユーザC乃至Eの部屋は、それぞれ部屋３乃至５であり、その部屋３乃至５に設置されているディスプレイとスピーカは、それぞれディスプレイ２２−３乃至２２−５とスピーカ２３−３乃至２３−５であることが記憶されている。
【０１２０】
さらに、図３右側の表に示すように、図２のメモリ３６には、ユーザＡ乃至Ｅそれぞれに対して、部屋１乃至５とセンサ３７−１乃至３７−５（センサ１乃至５）とが対応付けられて記憶されている。
【０１２１】
即ち、ユーザＡの部屋１に設置されているセンサは、センサ３７−１であることが記憶されている。また、ユーザBの部屋２に設置されているセンサは、センサ３７−２であることが記憶されている。同様に、ユーザC乃至Eそれぞれについても、ユーザC乃至Eの部屋３乃至５に設置されているセンサは、それぞれセンサ３７−３乃至３７−５であることが記憶されている。
【０１２２】
従って、図３左側の表のデータにより、チューナ１１で検出された番組を好みのジャンルとするユーザが決定された場合、コントローラ３１は、図３右側の表のデータを参照することにより、そのユーザの部屋がどの部屋であり、どのセンサから検出信号が送られてくれば、チューナ１１で検出された番組を好みのジャンルとするユーザの部屋にユーザがいるかどうかを認識することができる。また、その部屋に設置されているディスプレイ２２とスピーカ２３も認識することができる。従って、コントローラ３１は、どのディスプレイ２２とスピーカ２３をセレクタ２０および２１に選択させればよいかを認識することができる。
【０１２３】
図４は、図２のDRC部１７の詳細な構成例を示すブロック図である。
【０１２４】
DRC部１７は、上述したように、ビデオデコーダ１５が供給する画像信号を第１の画像信号として、その第１の画像信号を、第２の画像信号としての高品質（高画質）の画像信号に変換する。
【０１２５】
即ち、DRC部１７では、ビデオデコーダ１５から供給される画像信号が、第１の画像信号として、予測タップ抽出部５１、および、クラス分類部５２のクラスタップ抽出部５３に供給される。
【０１２６】
予測タップ抽出部５１は、第２の画像信号を構成する画素を、順次、注目画素とし、さらに、その注目画素の画素値を予測するのに用いる第１の画像信号を構成する画素（の画素値）の幾つかを、予測タップとして抽出する。
【０１２７】
具体的には、予測タップ抽出部５１は、注目画素に対応する第１の画像信号の画素（例えば、注目画素に対して空間的および時間的に最も近い位置にある第１の画像信号の画素）に対して、空間的または時間的に近い位置にある複数の画素を、第１の画像信号から、予測タップとして抽出する。
【０１２８】
予測タップ抽出部５１は、抽出した予測タップを予測演算部５６に供給する。
【０１２９】
クラス分類部５２は、クラスタップ抽出部５３とクラスコード発生部５４とで構成され、ビデオデコーダ１５が供給する画像信号に応じて、注目画素のクラス分類を行う。即ち、クラスタップ抽出部５３において、ビデオデコーダ１５が供給する画像信号からクラスタップが得られ、クラスコード発生部５４において、そのクラスタップからクラスコードが得られる。
【０１３０】
即ち、クラスタップ抽出部５３は、注目画素を、幾つかのクラスのうちのいずれかのクラスにクラス分けするクラス分類を行うのに用いる第１の画像信号を構成する画素の幾つかを、クラスタップとして抽出する。
【０１３１】
なお、予測タップとクラスタップは、同一のタップ構造を有するものとすることも、異なるタップ構造を有するものとすることも可能である。
【０１３２】
クラスタップ抽出部５３で得られたクラスタップは、クラスコード発生部５４に供給される。
【０１３３】
クラスコード発生部５４は、クラスタップ抽出部５３からのクラスタップを構成する画素のレベル分布に基づき、注目画素を、複数のクラスのうちのいずれかのクラスに分類するクラス分類を行い、その結果得られるクラスに対応するクラスコードを発生して、係数発生部５５に供給する。
【０１３４】
ここで、クラス分類を行う方法としては、例えば、ADRC(Adaptive Dynamic Range Coding)等を採用することができる。
【０１３５】
ADRCを用いる方法では、クラスタップを構成する画素の画素値が、ADRC処理され、その結果得られるADRCコードにしたがって、注目画素のクラスが決定される。
【０１３６】
なお、KビットADRCにおいては、例えば、クラスタップを構成する画素の画素値の最大値MAXと最小値MINが検出され、DR=MAX-MINを、集合の局所的なダイナミックレンジとし、このダイナミックレンジDRに基づいて、クラスタップを構成する画素値がKビットに再量子化される。即ち、クラスタップを構成する各画素の画素値から、最小値MINが減算され、その減算値がDR/2Kで除算（量子化）される。そして、以上のようにして得られる、クラスタップを構成するKビットの各画素の画素値を、所定の順番で並べたビット列が、ADRCコードとして出力される。従って、クラスタップが、例えば、１ビットADRC処理された場合には、そのクラスタップを構成する各画素の画素値は、最大値MAXと最小値MINとの平均値で除算され（小数点以下切り捨て）、これにより、各画素の画素値が１ビットとされる（２値化される）。そして、その１ビットの画素値を所定の順番で並べたビット列が、ADRCコードとして出力される。クラスコード発生部５４は、例えば、クラスタップをADRC処理して得られるADRCコードを、クラスコードとして発生（出力）する。
【０１３７】
なお、クラスコード発生部５４には、例えば、クラスタップを構成する画素の画素値のレベル分布のパターンを、そのままクラスコードとして出力させることも可能である。しかしながら、この場合、クラスタップが、Ｎ個の画素の画素値で構成され、各画素の画素値に、Ｋビットが割り当てられているとすると、クラスコード発生部５４が出力するクラスコードの場合の数は、（２N）K通りとなり、画素の画素値のビット数Ｋに指数的に比例した膨大な数となる。
【０１３８】
従って、クラスコード発生部５４においては、クラスタップの情報量を、上述のADRC処理や、あるいはベクトル量子化等によって圧縮することにより、クラス分類を行うのが好ましい。
【０１３９】
係数発生部５５には、クラスコード発生部５４からクラスコードが供給される他、コントローラ３１から、チューナ１１で検出された番組のジャンルを表すジャンル情報が供給される。
【０１４０】
係数発生部５５は、後述する学習によって求められたクラスごとのタップ係数をジャンル別に記憶している。そして、係数発生部５５は、コントローラ３１から供給されるジャンル情報が表すジャンルに対応するタップ係数を選択し、さらに、その選択したタップ係数のうちの、クラスコード発生部５４から供給されるクラスコードに対応するアドレスに記憶されているタップ係数（クラスコード発生部５４から供給されるクラスコードが表すクラスのタップ係数）を、予測演算部５６に供給（出力）する。
【０１４１】
ここで、タップ係数とは、ディジタルフィルタにおける、いわゆるタップにおいて入力データと乗算される係数に相当するものである。
【０１４２】
予測演算部５６は、予測タップ抽出部５１が出力する予測タップと、係数発生部５５が出力するタップ係数とを取得し、その予測タップとタップ係数とを用いて、注目画素の真値の予測値を求める所定の予測演算を行う。これにより、予測演算部５６は、注目画素の画素値（の予測値）、即ち、第２の画像信号を構成する画素の画素値を求めて出力する。
【０１４３】
上述した図４のＤＲＣ部１７では、係数発生部５５には、学習によって求められたクラスごとのタップ係数をジャンル別に記憶させるようにしたが、その他、係数発生部５５には、ジャンルに関係ない１セットのクラスごとのタップ係数を記憶させるようにして、クラスコード発生部５４から供給されるクラスコードに対応するアドレスに記憶されているタップ係数を予測演算部５６に供給（出力）するようにすることもできる。
【０１４４】
また、上述のＤＲＣ部１７と同様の構成を有する音声信号用のＤＲＣ部を、図２の受信装置１のオーディオデコーダ１６とセレクタ２１との間にさらに設けるようにすることができる。この場合、新たに設けられたＤＲＣ部は、オーディオデコーダ１６が出力するオーディオデータを、第1の音声信号として、その音声信号（オーディオデータ）を、高品質（高音質）のオーディオデータに変換し、セレクタ２１に供給（出力）することができる。
【０１４５】
図５は、予測タップとクラスタップのタップ構造の例を示している。
【０１４６】
図５左側は、クラスタップのタップ構造の例を示している。図５では、Ｐ１乃至Ｐ９の９個の画素で、クラスタップが構成されている。即ち、図５では、ビデオデコーダ１５が出力する画像信号のうちの、注目画素に対応する画素Ｐ５と、その画素の上方向（Ｐ１，Ｐ２）、下方向（Ｐ８，Ｐ９）、左方向（Ｐ３，Ｐ４）、右方向（Ｐ６，Ｐ７）に隣接する２画素それぞれとから、いわば十字形状のクラスタップが構成されている。
【０１４７】
図５右側は、予測タップのタップ構造の例を示している。図５では、１３個の画素で、予測タップが構成されている。即ち、図５では、ビデオデコーダ１５が出力する画像信号のうちの、注目画素に対応する画素を中心として縦方向に並ぶ５画素、注目画素に対応する画素の左と右に隣接する画素それぞれを中心として縦方向に並ぶ３画素、および注目画素に対応する画素から左と右に１画素だけ離れた画素それぞれから、いわばひし形状のクラスタップが構成されている。
【０１４８】
次に、図４の予測演算部５６における予測演算と、その予測演算に用いられるタップ係数の学習について説明する。
【０１４９】
いま、高画質（高品質）の画像信号（高画質画像信号）を第２の画像信号とするとともに、その高画質画像信号をＬＰＦ(Low Pass Filter)によってフィルタリングする等してその画質（解像度）を低下させた低画質の画像信号（低画質画像信号）を第１の画像信号として、低画質画像信号から予測タップを抽出し、その予測タップとタップ係数を用いて、高画質画素の画素値を、所定の予測演算によって求める（予測する）ことを考える。
【０１５０】
いま、所定の予測演算として、例えば、線形１次予測演算を採用することとすると、高画質画素の画素値ｙは、次の線形１次式によって求められることになる。
【０１５１】
【数１】
2005086422.tif 000003
・・・（１）
【０１５２】
但し、式（１）において、ｘnは、高画質画素ｙについての予測タップを構成する、ｎ番目の低画質画像信号の画素（以下、適宜、低画質画素という）の画素値を表し、ｗnは、ｎ番目の低画質画素（の画素値）と乗算されるｎ番目のタップ係数を表す。なお、式（１）では、予測タップが、Ｎ個の低画質画素ｘ1，ｘ2，・・・，ｘNで構成されるものとしてある。
【０１５３】
ここで、高画質画素の画素値ｙは、式（１）に示した線形１次式ではなく、２次以上の高次の式によって求めるようにすることも可能である。
【０１５４】
いま、第ｋサンプルの高画質画素の画素値の真値をｙkと表すとともに、式（１）によって得られるその真値ｙkの予測値をｙk’と表すと、その予測誤差ｅkは、次式で表される。
【０１５５】
【数２】
2005086422.tif 000004
・・・（２）
【０１５６】
いま、式（２）の予測値ｙk’は、式（１）にしたがって求められるため、式（２）のｙk’を、式（１）にしたがって置き換えると、次式が得られる。
【０１５７】
【数３】
2005086422.tif 000005
・・・（３）
【０１５８】
但し、式（３）において、ｘn,kは、第ｋサンプルの高画質画素についての予測タップを構成するｎ番目の低画質画素を表す。
【０１５９】
式（３）（または式（２））の予測誤差ｅkを０とするタップ係数ｗnが、高画質画素を予測するのに最適なものとなるが、すべての高画質画素について、そのようなタップ係数ｗnを求めることは、一般には困難である。
【０１６０】
そこで、タップ係数ｗnが最適なものであることを表す規範として、例えば、最小自乗法を採用することとすると、最適なタップ係数ｗnは、次式で表される自乗誤差の総和Ｅを最小にすることで求めることができる。
【０１６１】
【数４】
2005086422.tif 000006
・・・（４）
【０１６２】
但し、式（４）において、Ｋは、高画質画素ｙkと、その高画質画素ｙkについての予測タップを構成する低画質画素ｘ1,k，ｘ2,k，・・・，ｘN,kとのセットのサンプル数（学習用のサンプルの数）を表す。
【０１６３】
式（４）の自乗誤差の総和Ｅの最小値（極小値）は、式（１４）に示すように、総和Ｅをタップ係数ｗnで偏微分したものを０とするｗnによって与えられる。
【０１６４】
【数５】
2005086422.tif 000007
・・・（５）
【０１６５】
そこで、上述の式（３）をタップ係数ｗnで偏微分すると、次式が得られる。
【０１６６】
【数６】
2005086422.tif 000008
・・・（６）
【０１６７】
式（５）と（６）から、次式が得られる。
【０１６８】
【数７】
2005086422.tif 000009
・・・（７）
【０１６９】
式（７）のｅkに、式（３）を代入することにより、式（７）は、式（８）に示す正規方程式で表すことができる。
【０１７０】
【数８】
2005086422.tif 000010
・・・（８）
【０１７１】
式（８）の正規方程式は、例えば、掃き出し法（Gauss-Jordanの消去法）などを用いることにより、タップ係数ｗnについて解くことができる。
【０１７２】
式（８）の正規方程式をクラスごとにたてて解くことにより、最適なタップ係数（ここでは、自乗誤差の総和Ｅを最小にするタップ係数）ｗnを、クラスごとに求めることができる。
【０１７３】
図６は、式（８）の正規方程式をたてて解くことによりクラスごとのタップ係数ｗnを求める学習を行う学習装置の構成例を示している。
【０１７４】
学習装置には、タップ係数ｗnの学習に用いられる学習用画像信号が入力されるようになっている。ここで、学習用画像信号としては、例えば、解像度の高い高画質画像信号を用いることができる。
【０１７５】
学習装置において、学習用画像信号は、教師データ生成部１０１と生徒データ生成部１０３に供給される。
【０１７６】
教師データ生成部１０１は、そこに供給される学習用画像信号から学習の教師（答え）となる教師データを生成し、教師データ記憶部１０２に供給する。即ち、ここでは、教師データ生成部１０１は、学習用画像信号としての高画質画像信号を、そのまま教師データとして、教師データ記憶部１０２に供給する。
【０１７７】
教師データ記憶部１０２は、教師データ生成部１０１から供給される教師データとしての高画質画像信号を記憶する。
【０１７８】
生徒データ生成部１０３は、学習用画像信号から学習の生徒となる生徒データを生成し、生徒データ記憶部１０４に供給する。即ち、生徒データ生成部１０３は、学習用画像信号としての高画質画像信号をフィルタリングすることにより、その解像度を低下させることで、低画質画像信号を生成し、この低画質画像信号を、生徒データとして、生徒データ記憶部１０４に供給する。
【０１７９】
生徒データ記憶部１０４は、生徒データ生成部１０３から供給される生徒データを記憶する。
【０１８０】
予測タップ抽出部１０５は、教師データ記憶部１０２に記憶された教師データとしての高画質画像信号を構成する画素を、順次、注目教師画素とし、その注目教師画素について、生徒データ記憶部１０４に記憶された生徒データとしての低画質画像信号を構成する低画質画素のうちの所定のものを抽出することにより、図４の予測タップ抽出部５１が構成するのと同一のタップ構造の予測タップを構成し、足し込み部１０８に供給する。
【０１８１】
クラスタップ抽出部１０６は、注目教師画素について、生徒データ記憶部１０４に記憶された生徒データとしての低画質画像信号を構成する低画質画素のうちの所定のものを抽出することにより、図４のクラスタップ抽出部５３が構成するのと同一のタップ構造のクラスタップを構成し、クラスコード発生部１０７に供給する。
【０１８２】
クラスコード発生部１０７は、クラスタップ抽出部１０６が出力するクラスタップに基づき、図４のクラスコード発生部５４と同一のクラス分類を行い、その結果得られるクラスに対応するクラスコードを、足し込み部１０８に出力する。
【０１８３】
足し込み部１０８は、教師データ記憶部１０２から、注目教師画素を読み出し、その注目教師画素と、予測タップ抽出部１０５から供給される注目教師画素について構成された予測タップを構成する生徒データとを対象とした足し込みを、クラスコード発生部１０７から供給されるクラスコードごとに行う。
【０１８４】
即ち、足し込み部１０８には、教師データ記憶部１０２に記憶された教師データｙk、予測タップ抽出部１０５が出力する予測タップｘn,k、クラスコード発生部１０７が出力するクラスコードが供給される。
【０１８５】
そして、足し込み部１０８は、クラスコード発生部１０７から供給されるクラスコードに対応するクラスごとに、予測タップ（生徒データ）ｘn,kを用い、式（８）の左辺の行列における生徒データどうしの乗算（ｘn,kｘn',k）と、サメーション（Σ）に相当する演算を行う。
【０１８６】
さらに、足し込み部１０８は、やはり、クラスコード発生部１０７から供給されるクラスコードに対応するクラスごとに、予測タップ（生徒データ）ｘn,kと教師データｙkを用い、式（８）の右辺のベクトルにおける生徒データｘn,kおよび教師データｙkの乗算（ｘn,kｙk）と、サメーション（Σ）に相当する演算を行う。
【０１８７】
即ち、足し込み部１０８は、前回、注目教師画素とされた教師データについて求められた式（８）における左辺の行列のコンポーネント（Σｘn,kｘn',k）と、右辺のベクトルのコンポーネント（Σｘn,kｙk）を、その内蔵するメモリ（図示せず）に記憶しており、その行列のコンポーネント（Σｘn,kｘn',k）またはベクトルのコンポーネント（Σｘn,kｙk）に対して、新たに注目教師画素とされた教師データについて、その教師データｙk+1および生徒データｘn,k+1を用いて計算される、対応するコンポーネントｘn,k+1ｘn',k+1またはｘn,k+1ｙk+1を足し込む（式（８）のサメーションで表される加算を行う）。
【０１８８】
そして、足し込み部１０８は、教師データ記憶部１０２に記憶された教師データすべてを注目教師画素として、上述の足し込みを行うことにより、各クラスについて、式（８）に示した正規方程式をたてると、その正規方程式を、タップ係数算出部１０９に供給する。
【０１８９】
タップ係数算出部１０９は、足し込み部１０８から供給される各クラスについての正規方程式を解くことにより、各クラスについて、最適なタップ係数ｗnを求めて出力する。
【０１９０】
係数発生部５５には、例えば、以上のようにして求められたクラスごとのタップ係数ｗmが、ジャンル別に記憶されている。
【０１９１】
なお、上述の場合には、学習用画像信号を、そのまま第２の画像信号に対応する教師データとするとともに、その学習用画像信号の解像度を劣化させた低画質画像信号を、第１の画像信号に対応する生徒データとして、タップ係数の学習を行うようにしたことから、タップ係数としては、第１の画像信号を、その解像度を向上させた第２の画像信号に変換する解像度向上処理としての画像変換処理を行うものを得ることができる。
【０１９２】
ここで、第１の画像信号に対応する生徒データと、第２の画像信号に対応する教師データとする画像信号の選択の仕方によって、タップ係数としては、各種の画像変換処理を行うものを得ることができる。
【０１９３】
即ち、例えば、高画質画像信号を教師データとするとともに、その教師データとしての高画質画像信号に対して、ノイズを重畳した画像信号を生徒データとして、学習処理を行うことにより、タップ係数としては、第１の画像信号を、そこに含まれるノイズを除去（低減）した第２の画像信号に変換するノイズ除去処理としての画像変換処理を行うものを得ることができる。
【０１９４】
次に、図７のフローチャートを参照して、１つのジャンルに対して、クラスごとのタップ係数を学習するときの、図６の学習装置の処理（学習処理）について、説明する。
【０１９５】
最初に、ステップＳ１において、教師データ生成部１０１と生徒データ生成部１０３が、学習用画像信号から、教師データと生徒データを、それぞれ生成して出力する。即ち、教師データ生成部１０１は、学習用画像信号を、そのまま、教師データとして出力する。また、生徒データ生成部３１は、学習用画像信号を、所定のカットオフ周波数のＬＰＦによってフィルタリングすることにより、各フレーム（またはフィールド）の教師データ（学習用画像信号）について、生徒データを生成して出力する。
【０１９６】
教師データ生成部１０１が出力する教師データは、教師データ記憶部１０２に供給されて記憶され、生徒データ生成部１０３が出力する生徒データは、生徒データ記憶部１０４に供給されて記憶される。
【０１９７】
その後、ステップＳ２に進み、予測タップ抽出部１０５は、教師データ記憶部１０２に記憶された教師データのうち、まだ、注目教師画素としていないものを、注目教師画素とする。さらに、ステップＳ２では、予測タップ抽出部１０５が、注目教師画素について、生徒データ記憶部１０４に記憶された生徒データから予測タップを構成し、足し込み部１０８に供給するとともに、クラスタップ抽出部１０６が、やはり、注目教師画素について、生徒データ記憶部１０４に記憶された生徒データからクラスタップを構成し、クラスコード発生部１０７に供給する。
【０１９８】
そして、ステップＳ３に進み、クラスコード発生部１０７は、注目教師画素についてのクラスタップに基づき、注目教師画素のクラス分類を行い、その結果得られるクラスに対応するクラスコードを、足し込み部１０８に出力して、ステップＳ４に進む。
【０１９９】
ステップＳ４では、足し込み部１０８は、教師データ記憶部１０２から、注目教師画素を読み出し、その注目教師画素と、予測タップ抽出部１０５から供給される注目教師画素について構成された予測タップを構成する生徒データとを対象とした式（８）の足し込みを、クラスコード発生部１０７から供給されるクラスコードごとに行い、ステップＳ５に進む。
【０２００】
ステップＳ５では、予測タップ抽出部１０５が、教師データ記憶部１０２に、まだ、注目教師画素としていない教師データが記憶されているかどうかを判定する。ステップＳ５において、注目教師画素としていない教師データが、まだ、教師データ記憶部１０２に記憶されていると判定された場合、予測タップ抽出部１０５は、まだ注目教師画素としていない教師データを、新たに、注目教師画素として、ステップＳ２に戻り、以下、同様の処理が繰り返される。
【０２０１】
また、ステップＳ５において、注目教師画素としていない教師データが、教師データ記憶部１０２に記憶されていないと判定された場合、足し込み部１０８は、いままでの処理によって得られたクラスごとの式（８）における左辺の行列と、右辺のベクトルを、タップ係数算出部１０９に供給し、ステップＳ６に進む。
【０２０２】
ステップＳ６では、タップ係数算出部１０９は、足し込み部１０８から供給されるクラスごとの式（８）における左辺の行列と右辺のベクトルによって構成されるクラスごとの正規方程式を解くことにより、クラスごとに、タップ係数ｗnを求めて出力し、処理を終了する。
【０２０３】
なお、学習用画像信号の数が十分でないこと等に起因して、タップ係数を求めるのに必要な数の正規方程式が得られないクラスが生じることがあり得るが、そのようなクラスについては、タップ係数算出部１０９は、例えば、予め設定しておいたタップ係数を出力するようになっている。
【０２０４】
以上の学習処理を、ジャンルごとに行うことにより、ジャンル別に記憶された、クラスごとのタップ係数を得ることができる。
【０２０５】
図８は、図４の係数発生部５５の構成例を示すブロック図である。
【０２０６】
コントローラ３１から供給される番組のジャンルを表すジャンル情報は、スイッチ制御回路７１に入力される。
【０２０７】
スイッチ制御回路７１は、コントローラ３１から供給されるジャンル情報に応じて、スイッチ７２と７３を制御する。即ち、スイッチ制御回路７１は、スイッチ７２と７３が係数発生回路８１乃至８６のうち、コントローラ３１から供給されるジャンル情報が表すジャンルに対応する係数発生回路８１乃至８６を選択するように、スイッチ７２と７３を制御する。
【０２０８】
係数発生回路８１乃至８６それぞれは、ジャンルごとに、上述した学習により得られるクラスごとのタップ係数を記憶している。即ち、係数発生回路８１は、番組のジャンルがニュース全般の場合の、クラスごとのタップ係数を記憶している。また、係数発生回路８２は、番組のジャンルがサッカーの場合の、クラスごとのタップ係数を記憶している。同様に、係数発生回路８３乃至８６それぞれは、番組のジャンルが、大リーグ、スポーツ全般、アニメ、およびドラマである場合の、クラスごとのタップ係数を記憶している。
【０２０９】
係数発生回路８１乃至８６のいずれかがスイッチ７２と７３に選択された場合、選択された係数発生回路は、クラスコード発生部５４から供給されるクラスコードに対応するタップ係数を選択し、予測演算部５６に供給（出力）する。
【０２１０】
従って、以上のように構成される係数発生部５５では、係数発生回路８１乃至８６のうちの、コントローラ３１から供給されるジャンル情報が表すジャンルに対応する係数発生回路が選択される。そして選択された係数発生回路のいずれかに、クラスコード発生部５４が出力したクラスコードが供給され、そのクラスコードに対応する対応するタップ係数が選択されて、予測演算部５６に出力される。
【０２１１】
次に、図９のフローチャートを参照して、図４のDRC部１７が行う、ビデオデコーダ１５が出力する画像信号（第1の画像信号）を、高品質（高画質）の画像信号（第２の画像信号）に変換する画像変換処理について説明する。
【０２１２】
最初に、ステップＳ１１において、予測タップ抽出部５１は、第２の画像信号を構成する画素のうちの、まだ注目画素としていないものの１つを、注目画素として選択し、さらに、その注目画素の画素値を予測するのに用いる第１の画像信号を構成する画素（の画素値）の幾つかを、予測タップとして抽出する。また、予測タップ抽出部５１は、抽出した予測タップを予測演算部５６に供給して、ステップＳ１２に進む。ここで、予測タップ抽出部５１は、例えば、第2の画像信号を構成する画素を、ラスタスキャン順に注目画素として選択する。
【０２１３】
ステップＳ１２において、クラスタップ抽出部５３は、注目画素を、幾つかのクラスのうちのいずれかのクラスにクラス分けするクラス分類を行うのに用いる第１の画像信号を構成する画素の幾つかを、クラスタップとして抽出する。また、クラスタップ抽出部５３は、得られたクラスタップをクラスコード発生部５４に供給して、ステップＳ１３に進む。
【０２１４】
ステップＳ１３において、クラスコード発生部５４は、クラスタップ抽出部５３からのクラスタップを構成する画素のレベル分布に基づき、注目画素を、複数のクラスのうちのいずれかのクラスに分類するクラス分類を行い、その結果得られるクラスに対応するクラスコードを発生する。また、クラスコード発生部５４は、そのクラスコードを係数発生部５５に供給して、ステップＳ１４に進む。
【０２１５】
ステップＳ１４において、係数発生部５５のスイッチ制御回路７１は、コントローラ３１から供給されるジャンル情報が表すジャンルに対応する係数発生回路を、図８の係数発生回路８１乃至８６の中から選択する。そして、選択された係数発生回路は、クラスコード発生部５４から供給されるクラスコードに対応するアドレスに記憶されているタップ係数（クラスコード発生部５４から供給されるクラスコードが表すクラスのタップ係数）を、予測演算部５６に供給（出力）する。
【０２１６】
そして、ステップＳ１５に進み、予測演算部５６は、予測タップ抽出部５１が出力する予測タップと、係数発生部５５が出力するタップ係数とを取得し、その予測タップとタップ係数とを用いて、注目画素の真値の予測値を求める式（１）の予測演算を行う。これにより、予測演算部５６は、注目画素の画素値（の予測値）、即ち、第２の画像信号を構成する画素の画素値を出力して、ステップＳ１６に進む。
【０２１７】
ステップＳ１６において、DRC部１７は、入力画像信号が終了したか否かを判定する。入力画像信号が終了していないと判定された場合、ステップＳ１１に戻り、それ以降の処理が繰り返される。
【０２１８】
一方、ステップＳ１６において、入力画像信号が終了したと判定された場合、処理を終了する。
【０２１９】
以上のように、DRC部１７は、入力画像信号（ビデオデータ１５から供給されるビデオデータ）から、チューナ１１で検出された番組のジャンルに応じた高品質（高画質）画像を得て、合成部１８に出力することができる。
【０２２０】
次に、図１０のフローチャートを参照して、第１実施の形態における受信装置１が、ユーザがいる部屋のディスプレイとスピーカに、所望のジャンルの番組の画像と音声を出力する番組出力処理（第１の番組出力処理）について説明する。この処理は、受信装置１の電源が投入されている間、常に実行されている。
【０２２１】
はじめに、ステップＳ３１において、コントローラ３１は、アンテナからチューナ１１に入力されるディジタル放送の放送信号のなかに、図３を参照して説明したような、メモリ３６に記憶されているユーザＡ乃至Ｅの所望（好み）のジャンルに該当する番組を検出したか否かを判定する。そして、ユーザＡ乃至Ｅの所望のジャンルに該当する番組が検出されるまで、ステップＳ３１の処理が繰り返される。
【０２２２】
ステップＳ３１で、ユーザＡ乃至Ｅの所望のジャンルに該当する番組を検出したと判定された場合、ステップＳ３２に進み、コントローラ３１は、ステップＳ３１で検出された番組のジャンルを所望するユーザの部屋にユーザがいるかどうかを判定する。即ち、コントローラ３１は、初めに、メモリ３６に記憶されている図３左側の表のデータを参照して、ステップＳ３１で検出された番組のジャンルを所望するユーザが誰であるかを決定する。次に、コントローラ３１は、メモリ３６に記憶されている図３右側の表のデータを参照して、ステップＳ３１で検出された番組のジャンルを所望するユーザの部屋とその部屋をセンシングしているセンサを認識する。そして、コントローラ３１は、ステップＳ３１で検出された番組のジャンルを所望するユーザの部屋に設置されたセンサ３７から、ユーザが部屋にいることを検出した検出信号を受信したか否かを判定する。ここで、ステップＳ３１で検出された番組のジャンルを所望するユーザが複数いる場合には、そのすべてのユーザの部屋について、ユーザがいるかどうかを判定する。
【０２２３】
ステップＳ３２において、ステップＳ３１で検出された番組のジャンルを所望するユーザの部屋にユーザがいないと判定された場合、即ち、コントローラ３１が、ステップＳ３１で検出された番組のジャンルを所望するユーザＡ乃至Ｅの部屋１乃至５に設置されたセンサ３７から、ユーザが部屋にいることを検出した検出信号を受信しなかった場合、ステップＳ３１に戻る。
【０２２４】
一方、ステップＳ３１で検出された番組のジャンルを所望するユーザの少なくとも一人が部屋にいると判定された場合、即ち、コントローラ３１が、ステップＳ３１で検出された番組のジャンルを所望するユーザの部屋に設置されたセンサ３７−１乃至３７−５の少なくとも１つから、ユーザが部屋にいることを検出した検出信号を受信した場合、ステップＳ３３に進む。
【０２２５】
ステップＳ３３において、チューナ１１で検出された番組のトランスポートストリームが、復調部１２、およびエラー訂正処理部１３を介して、デマルチプレクサ１４に供給される。そして、デマルチプレクサ１４は、ユーザの所望のジャンルの番組のTSパケットのうち、ビデオデータをビデオデコーダ１５に、オーディオデータをオーディオデコーダ１６に、それぞれ供給する。
【０２２６】
ビデオデコーダ１５は、デマルチプレクサ１４からのTSパケットのビデオデータをMPEGデコードしてDRC部１７に供給する。
【０２２７】
また、オーディオデコーダ１６は、デマルチプレクサ１４からのTSパケットのオーディオデータをMPEGデコードして、セレクタ２１に供給し、ステップＳ３３からステップＳ３４に進む。
【０２２８】
ステップＳ３４において、DRC部１７は、ビデオデコーダ１５が出力するMPEGデコードされたビデオデータを第１の画像信号として、その第１の画像信号を、高品質（高画質）の画像信号(第２の画像信号)に変換して、合成部１８に供給する。合成部１８は、重畳するビデオデータがＯＳＤ部１９から入力されている場合には、ＯＳＤ部１９が出力するビデオデータを、DRC部１７から供給される高品質の画像信号に重畳して、セレクタ２０に出力する。一方、合成部１８に重畳するビデオデータがOSD部１９から入力されていない場合には、合成部１８は、DRC部１７から供給される高品質の画像信号をそのままセレクタ２０に出力する。
【０２２９】
ステップＳ３４からステップＳ３５に進み、コントローラ３１は、ステップＳ３１で検出された番組のジャンルを所望するユーザの部屋のうち、ステップＳ３２でユーザがいると検出された部屋のディスプレイ２２とスピーカ２３をセレクタ２０と２１に選択させる。セレクタ２０は、コントローラ３１の制御により選択したディスプレイ２２に、合成部１８から供給されたビデオデータを出力する。従って、セレクタ２０に選択されたディスプレイ２２では、チューナ１１で検出された番組の画像が高品質の画像に変換されたものが表示される。
【０２３０】
また、セレクタ２１は、コントローラ３１の制御により選択したスピーカ２３に、オーディオデコーダ１６から供給されたオーディオデータを出力する。従って、セレクタ２１に選択されたスピーカ２３では、チューナ１１で検出された番組の音声が出力される。
【０２３１】
以上のように、第１の番組出力処理によれば、ユーザが所望するジャンルの番組を検出した場合、その検出したジャンルを所望するユーザの部屋にユーザがいるかどうかを検出し、ユーザがいる部屋の全てのディスプレイ２２とスピーカ２３に、検出した番組を出力することができる。
【０２３２】
従って、受信装置１が受信するディジタル放送の放送信号の内容に合わせて、ユーザは、ユーザに好都合なように、放送信号の内容（番組）を視聴すること、即ち、ユーザが所望するジャンルの番組を、なんらの操作をすることなく視聴することができる。
【０２３３】
次に、図１１のフローチャートを参照して、第１実施の形態における受信装置１の、その他の番組出力処理（第２の番組出力処理）について説明する。
【０２３４】
図１１のステップＳ５１の処理は、図１０のステップＳ３１の処理と同様である。また、図１１のステップＳ５４乃至Ｓ５７の処理は、図１０のステップＳ３２乃至Ｓ３５の処理と同様である。即ち、図１１の第２の番組出力処理は、図１０の第１の番組出力処理のステップＳ３１に対応するステップＳ５１と、ステップＳ３２に対応するステップＳ５４との間に、ステップＳ５２とＳ５３の処理が追加されたものである。従って、図１０の第１の番組出力処理と対応する部分については、その説明を適宜省略する。
【０２３５】
ステップＳ５１で、ユーザＡ乃至Ｅの所望のジャンルに該当する番組を検出したと判定された場合、ステップＳ５２に進み、コントローラ３１は、同一時刻に複数の、ユーザの好みのジャンルが異なる番組が検出されたか否かを判定する。ステップＳ５２において、ジャンルが異なる番組が検出されていないと判定された場合、ステップＳ５３をスキップしてステップＳ５４に進む。
【０２３６】
一方、ステップＳ５２において、ジャンルが異なる番組が検出されたと判定された場合、ステップＳ５３に進み、コントローラ３１は、メモリ３６に記憶されている、図３左側の表のデータを参照することにより、検出されたユーザの好みのジャンルが異なる複数のジャンルの番組のうち、ジャンルの優先順位がより高いジャンルの番組を選択し、ステップＳ５４に進む。
【０２３７】
ステップＳ５４において、ステップＳ５３で選択された番組のジャンルを所望するユーザが一人も部屋にいないと判定された場合、即ち、ステップＳ５３で選択された番組のジャンルを所望する全てのユーザの部屋に設置されたセンサ３７から、ユーザが部屋にいることを検出した検出信号を受信しなかった場合、ステップＳ５１に戻る。
【０２３８】
一方、ステップＳ５３で選択された番組のジャンルを所望するユーザの少なくとも一人が部屋にいると判定された場合、即ち、ステップＳ５３で選択された番組のジャンルを所望するユーザの部屋に設置されたセンサ３７−１乃至３７−５の少なくとも１つから、ユーザが部屋にいることを検出した検出信号を受信した場合、ステップＳ５５に進む。
【０２３９】
以上のように、第２の番組出力処理によれば、ユーザが所望する複数のジャンルの番組を検出した場合、優先順位のより高いジャンルの番組を選択する。そして、その選択したジャンルを所望するユーザが部屋にいるかどうかを検出して、ユーザがいると検出された部屋のディスプレイ２２とスピーカ２３に、選択した番組を出力することができる。ここで、選択された番組を所望するユーザの部屋にユーザがいない場合、コントローラ３１は、次に優先順位の高いジャンルの番組を選択するようにすることができる。
【０２４０】
従って、受信装置１が受信するディジタル放送の放送信号の内容に合わせて、ユーザは、ユーザに好都合なように、放送信号の内容（番組）を視聴すること、即ち、ユーザが所望するジャンルの番組を、なんらの操作をすることなく視聴することができる。
【０２４１】
なお、ユーザが所望する複数のジャンルの番組が放送されている場合には、コントローラ３１は、先にユーザの部屋にユーザがいるかどうかを検出し、ユーザがいると検出された部屋のユーザの所望するジャンルの中で、優先順位がより高いものを選択するようにしてもよい。
【０２４２】
また、ユーザが所望する同一ジャンルの番組が複数放送されている場合には、コントローラ３１は、任意の１つの番組を選択してもよいし、あるいは、その複数の番組を時分割で受信してマルチ画面表示させるようにしてもよい。
【０２４３】
図１２は、図１の住宅システムの建物内に設置される受信装置１の第２実施の形態の構成例を示すブロック図である。図１２において、図２の第１実施の形態と対応する部分については同一の符号を付してあり、その説明を適宜省略する。
【０２４４】
図１２の受信装置１では、部屋１乃至５の各部屋に設置されたカメラ１２１−１乃至１２１−５と、部屋１乃至５の各部屋に設置された映写機１２２−１乃至１２２−５が設けられている。以下において、カメラ１２１−１乃至１２１−５を特に区別する必要がない場合には、カメラ１２１と称する。同様に、映写機１２２−１乃至１２２−５を特に区別する必要がない場合には、映写機１２２と称する。
【０２４５】
カメラ１２１−１乃至１２１−５は、部屋１乃至５にそれぞれ設置されている。カメラ１２１−１乃至１２１−５それぞれは、コントローラ３１の制御の下、部屋１乃至５内の様子や、部屋１乃至５内にいるユーザＡ乃至Ｅを撮像する。また、カメラ１２１−１乃至１２１−５それぞれは、コントローラ３１の制御の下、ユーザＡ乃至Ｅが、部屋１乃至５において、ディスプレイ２２およびスピーカ２３から出力される番組を視聴する視聴状況を撮像する。カメラ１２１が撮像した画像の信号（以下、撮像信号と称する）は、メモリ３６を介して（メモリ３６に一時的に記録された後）、映写機１２２に供給される。
【０２４６】
コントローラ３１は、必要に応じて、カメラ１２１−１乃至１２１−５に、部屋１乃至５内の様子や、部屋１乃至５内にいるユーザＡ乃至Ｅを撮像させる。そして、コントローラ３１は、カメラ１２１が出力する撮像信号を、メモリ３６に一時的に記録（記憶）させる。さらに、コントローラ３１は、メモリ３６に一時的に記録されている撮像信号を、メモリ３６から映写機１２２に供給させる。
【０２４７】
また、コントローラ３１は、カメラ１２１が出力する撮像信号を処理することにより、ユーザが部屋にいるかどうかを検出するようにしてもよい。この場合、図１２の受信装置１において、センサ３７を省略することができる。
【０２４８】
映写機１２２−１乃至１２２−５は、部屋１乃至５にそれぞれ設置されている。映写機１２２−１乃至１２２−５それぞれは、コントローラ３１の制御の下、メモリ３６が出力する撮像信号から得られる画像を部屋１乃至５に映写する。従って、映写機１２２−１乃至１２２−５それぞれは、コントローラ３１の制御の下、他の部屋のユーザが番組を視聴している視聴状況の画像を部屋１乃至５の壁や床に映写（表示）する。
【０２４９】
これにより、自分の部屋において一人で所望のジャンルの番組を視聴しているユーザに、他の部屋のユーザと一緒に番組を視聴している感覚を与えることができる。このような、同一番組を視聴している他の部屋のユーザの視聴状況を自分の部屋に映写することを、ここでは、体感モードと呼ぶことにする。
【０２５０】
ユーザは、自分の視聴状況を他の部屋のユーザに見せたくない場合や、他のユーザの視聴状況を自分の部屋の壁に表示させたくない場合には、その体感モードをオフにすることができる。この場合、例えば、キー入力部３２や図示せぬリモコンには、体感モードをオン・オフする操作ボタン等が設けられる。そして、ユーザの体感モードをオン・オフする操作に対応する操作信号がキー入力部３２またはリモコンI/F３４からコントローラ３１に供給される。コントローラ３１は、ユーザの体感モードをオン・オフする操作に対応する操作信号に応じて、所定のブロックを制御する。
【０２５１】
また、コントローラ３１は、直前に操作された体感モードのオンまたはオフの状態を記憶する。そして、コントローラ３１は、その体感モードのオンまたはオフの状態に基づいて、体感モードがオフの場合、カメラ１２１を制御することにより、各部屋に設置されたカメラ１２１がユーザの視聴状況を撮像しないようにする。また、コントローラ３１は、体感モードがオフの場合、各部屋に設置された映写機１２２を制御することにより、カメラ１２２で撮像された他の部屋のユーザの視聴状況を映写しないようにすることもできる。一方、体感モードがオンの場合、コントローラ３１は、各部屋に設置されたカメラ１２１にユーザの視聴状況を撮像させる。さらに、コントローラ３１は、その撮像されたユーザの視聴状況の画像を、映写機１２２を制御して、ユーザの視聴状況が撮像された部屋と異なる他の部屋で同一番組を視聴しているユーザの部屋の壁や床に映写させる。
【０２５２】
ここで、映写機１２２は、例えば、プロジェクタ等で構成することができる。また、映写機１２２に代えて、例えば、LCDやPDPなどのフラットディスプレイパネルをユーザの部屋の壁や床に埋め込み、コントローラ３１は、その埋め込まれたLCDやPDPの画面に、他の部屋のユーザが番組を視聴している視聴状況の画像を表示させるようにしてもよい。
【０２５３】
以上のように構成される受信装置１は、図２の第１実施の形態における場合と同様に、所望のジャンルの番組を検出し、その検出した番組のジャンルを所望するユーザがいる部屋のディスプレイとスピーカに、その検出した番組としての画像と音声を出力する。
【０２５４】
さらに、図１２の受信装置１では、チューナ１１で検出した番組のジャンルを所望するユーザが複数いる場合には、各ユーザの部屋に設置されているカメラ１２１は、ユーザがディスプレイ２２とスピーカ２３から出力されるディジタル放送の番組を視聴しているユーザの視聴状況を撮像する。そして、その撮像信号が、同一番組を視聴している他のユーザの部屋に設置された映写機１２２に供給される。従って、自分以外の同一番組を視聴しているユーザの視聴状況が、部屋の壁に表示される（映し出される）。
【０２５５】
例えば、チューナ１１で検出した番組のジャンル（例えば、サッカー）を所望するユーザＡとＢが、それぞれ部屋１と２にいると判定された場合、部屋１に設置されているカメラ１２１−１は、ユーザＡの番組の視聴状況を撮像し、部屋２に設置されているカメラ１２１−２は、ユーザＢの番組の視聴状況を撮像する。そして、部屋１に設置されている映写機１２２−１は、部屋２に設置されているカメラ１２１−２により撮像されたユーザＢが番組を視聴している視聴状況を部屋１に映写する。また、部屋２に設置されている映写機１２２−２は、部屋１に設置されているカメラ１２１−１により撮像されたユーザＡが番組を視聴している視聴状況を部屋２に映写する。
【０２５６】
また、コントローラ３１は、カメラ１２１により撮像された任意の部屋のユーザの視聴状況を他の部屋で表示するかどうかを制御する。例えば、チューナ１１で検出した番組が映画の番組である場合、ユーザは、通常、一人で視聴したいと所望することが多い。そのような場合、他のユーザが同一の映画の番組を視聴していたとしても、ユーザは、体感モードをオフにする。これにより、コントローラ３１は、他の部屋で同一の映画の番組を視聴しているユーザの視聴状況を表示させないように映写機１２２を制御する。従って、ユーザは、一人で映画の番組を視聴することができる。
【０２５７】
次に、図１３のフローチャートを参照して、図１２の受信装置１における番組出力処理（第３の番組出力処理）について説明する。
【０２５８】
図１３のステップＳ７１乃至Ｓ７５の処理は、図１０の第１の番組出力処理のステップＳ３１乃至Ｓ３５の処理と同様である。従って、図１０の第１の番組出力処理と対応する部分については、その説明を適宜省略する。
【０２５９】
ステップＳ７５では、コントローラ３１は、ステップＳ７１で検出された番組のジャンルを所望するユーザの部屋のうち、ステップＳ７２でユーザがいると検出された部屋のディスプレイ２２とスピーカ２３をセレクタ２０と２１に選択させる。セレクタ２０は、コントローラ３１の制御により選択したディスプレイ２２に、合成部１８から供給されたビデオデータを出力する。従って、セレクタ２０に選択されたディスプレイ２２では、チューナ１１で検出された番組の画像が高品質の画像に変換されたものが表示される。
【０２６０】
また、セレクタ２１は、コントローラ３１の制御により選択したスピーカ２３に、オーディオデコーダから供給されたオーディオデータを出力する。従って、セレクタ２１に選択されたスピーカ２３では、チューナ１１で検出された番組の音声が出力される。
【０２６１】
ステップＳ７５からステップＳ７６に進み、コントローラ３１は、ステップＳ７２において、ステップＳ７１で検出された番組のジャンルを所望するユーザの部屋にユーザがいるかどうかを判定したときに、複数の部屋にユーザがいることを検出していたか否かを判定する。ステップＳ７６で、複数の部屋にユーザがいることを検出していないと判定された場合、即ち、ステップＳ７２では、１の部屋だけにユーザがいたことを検出した場合、ステップＳ７７乃至Ｓ７９をスキップして処理を終了する。
【０２６２】
一方、ステップＳ７６で、複数の部屋にユーザがいたことを検出したと判定された場合、ステップＳ７７に進み、コントローラ３１は、体感モードがオフとなっているかどうかを判定する。ステップＳ７７で、体感モードがオフとなっていると判定された場合、ステップＳ７８とＳ７９をスキップして、処理を終了する。
【０２６３】
一方、ステップＳ７７で、体感モードがオフとなっていないと判定された場合、ステップＳ７８に進み、コントローラ３１は、ステップＳ７２でユーザがいると判定された全ての部屋に設置されているカメラ１２１に、ステップＳ７１で検出された番組を視聴しているユーザの視聴状況を撮像させる。ユーザがいると判定された部屋に設置されているカメラ１２１は、コントローラ３１の制御の下、ステップＳ７１で検出された番組を視聴しているユーザの視聴状況の撮像を開始して、ステップＳ７９に進む。ここで、カメラ１２１で撮像された撮像信号は、メモリ３６に供給され、そこで一時記録される。
【０２６４】
ステップＳ７９では、ステップＳ７２でユーザがいると判定された全ての部屋に設置されている映写機１２２は、コントローラ３１の制御の下、メモリ３６から供給される他の部屋のユーザが番組を視聴している視聴状況の映写を開始して、処理を終了する。
【０２６５】
従って、図１３の第３の番組出力処理では、ユーザがいると判定された部屋に、チューナ１１で検出された番組の画像と音声がディスプレイ２２とスピーカ２３から出力され、その部屋にいるユーザは、ディスプレイ２２とスピーカ２３から出力された番組を視聴することができる。さらに、ユーザが複数いると判定され、体感モードがオンの場合、番組を視聴しているユーザの部屋に、他の部屋で同一番組を視聴している他のユーザの視聴状況が映写される。これにより、自分の部屋において一人で所望のジャンルの番組を視聴しているユーザに、他の（部屋の）ユーザと一緒に番組を視聴している感覚を与えることができ、ユーザは、番組の視聴の際に一体感、臨場感などを得る（体感する）ことができる。
【０２６６】
従って、図１２の受信装置１が受信するディジタル放送の放送信号の内容に合わせて、ユーザは、ユーザに好都合なように、放送信号の内容（番組）を視聴することができる。
【０２６７】
図１４は、体感モードがオンの場合の、番組を視聴しているユーザの部屋に、他の部屋で同一番組を視聴している他のユーザの視聴状況が映写される状態を説明する図である。
【０２６８】
図１４では、ユーザＡの部屋１とユーザＢの部屋２が、壁Ｗを挟んで隣り合わせに配置されている。また、部屋１では、ディスプレイ２２−１、スピーカ２３−１（図１４では、ディスプレイ２２−１と一体となっている）、カメラ１２１−１、および映写機１２２−１が、部屋の壁や天井など所定の箇所に固定されて設置されている。同様に、部屋２では、ディスプレイ２２−２、スピーカ２３−２（図１４では、ディスプレイ２２−２と一体となっている）、カメラ１２１−２、および映写機１２２−２が、部屋の壁や天井など所定の箇所に固定されて設置されている。
【０２６９】
ユーザＡとＢは、それぞれの部屋１と２において、サッカーの試合の中継番組（ジャンルは、サッカーに該当する）を視聴している。部屋１と２に設置されたディスプレイ２２−１と２２−２では、サッカーの試合の中継番組の画像が表示されている。また、図１４では、ディスプレイ２２−１および２２−２と一体となっているスピーカ２３−１および２３−２からは、サッカーの試合の中継番組の音声が出力されている。
【０２７０】
部屋１のカメラ１２１−１は、ユーザＡが部屋１においてサッカーの試合の中継番組を視聴している視聴状況を撮像している。また、部屋２のカメラ１２１−２は、ユーザＢが部屋２において同一番組であるサッカーの試合の中継番組を視聴している視聴状況を撮像している。
【０２７１】
そして、部屋１の映写機１２２−１は、部屋２のカメラ１２１−２により撮像されたユーザＢがサッカーの試合の中継番組を視聴している視聴状況の画像を壁Ｗに映写している。また、部屋２の映写機１２２−２は、部屋１のカメラ１２１−１により撮像されたユーザＡがサッカーの試合の中継番組を視聴している視聴状況の画像を、図中右側の壁に映写している。
【０２７２】
従って、部屋１のユーザＡは、部屋２で同一番組を視聴しているユーザＢと一緒にサッカーの試合の中継番組を視聴している感覚を得る（体感する）ことができる。また、部屋２のユーザＢは、部屋１で同一番組を視聴しているユーザＡと一緒にサッカーの試合の中継番組を視聴している感覚を得る（体感する）ことができる。
【０２７３】
上述した第２実施の形態では、受信装置１において、体感モードをオンまたはオフした場合、チューナ１１で検出した番組のジャンルを所望する全てのユーザ（部屋）について、体感モードをオンまたはオフするようにしたが、ユーザ（部屋）ごとに体感モードをオンまたはオフするようにして、体感モードをオンしているユーザだけで、同一番組を視聴している他のユーザの視聴状況を映写するようにしてもよい。
【０２７４】
例えば、ユーザＡとＢが部屋１と２それぞれにおいて番組を視聴するときに、ユーザＡとＢともに、体感モードがオンの場合には、ユーザＡの部屋の壁や床には、ユーザＢの視聴状況が映写（表示）され、ユーザＢの部屋の壁や床には、ユーザＡの視聴状況が映写（表示）される。一方、ユーザＡとＢともに体感モードがオフの場合には、ユーザＡとＢいずれの部屋の壁や床にも、ユーザの視聴状況は映写されない。
【０２７５】
また、例えば、ユーザＡとＢのうち、ユーザＡが体感モードをオンで、ユーザＢが体感モードをオフにしている場合、体感モードをオンにしているユーザＡの部屋１には、ユーザＢの視聴状況が部屋１の壁や床に映写される。一方、体感モードをオフにしているユーザＢの部屋２には、ユーザＡの視聴状況は映写されない。但し、ユーザＢが自分の視聴状況を他の部屋のユーザに見せたくない場合には、ユーザＢは、自分の視聴状況が他の部屋のユーザに見られない（映写されない）ようにすることもできる。
【０２７６】
また、同一番組を視聴しているユーザが３人以上いる場合、映写機１２２が、他の部屋で撮像されたユーザの視聴状況を部屋に映写するときに、同一番組を視聴している他の部屋の、いずれか一人のユーザの視聴状況を映写するようにしてもよいし、他の部屋のユーザ全ての視聴状況を映写するようにしてもよい。
【０２７７】
例えば、ユーザＡ、Ｂ、Ｃ、およびＤの４人が同一番組を視聴している場合、ユーザＡの部屋１の映写機１２２−１が映写（表示）する画像は、ユーザＢ、Ｃ、またはＤのうちのいずれか一人の視聴状況の画像であってもよいし、ユーザＢ、Ｃ、およびＤの３人全ての視聴状況の画像であってもよい。
【０２７８】
図１５は、図１の住宅システムの建物内に設置される受信装置１の第３実施の形態の構成例を示すブロック図である。図１５において、図１２の第２実施の形態と対応する部分については同一の符号を付してあり、その説明を適宜省略する。
【０２７９】
図１５の受信装置１では、図１２の第２実施の形態における映写機１２２−１乃至１２２−５に代えて、映写機１３１−１乃至１３１−５が設けられている他は、図１２の受信装置１と同様に構成されている。図１２の受信装置１と対応する部分については同一の符号を付してあり、その説明を適宜省略する。
【０２８０】
映写機１３１−１乃至１３１−５は、部屋１乃至５にそれぞれ設置されている。映写機１３１−１乃至１３１−５それぞれは、第２実施の形態における映写機１２２−１乃至１２２−５と同様に、コントローラ３１の制御の下、メモリ３６が出力する撮像信号から得られる画像を部屋１乃至５に映写する。即ち、映写機１３１−１乃至１３１−５それぞれは、コントローラ３１の制御の下、他の部屋のユーザが番組を視聴している視聴状況の画像を部屋１乃至５に映写（表示）する。
【０２８１】
また、映写機１３１−１乃至１３１−５は、その内部に画像加工部１３２−１乃至１３２−５をそれぞれ有している。なお、図１５では、画像加工部１３２−２乃至１３２−５の図示が省略されている。また、以下において、画像加工部１３２−１乃至１３２−５を特に区別する必要がない場合には、画像加工部１３２と称する。
【０２８２】
画像加工部１３２は、メモリ３６が出力する撮像信号の画像を加工する。そして、映写機１３１−１乃至１３１−５それぞれは、画像加工部１３２−１乃至１３２−５が加工した画像を部屋１乃至５に映写する。即ち、映写機１３１−１乃至１３１−５それぞれは、コントローラ３１の制御の下、カメラ１２１が撮像した他の部屋のユーザが番組を視聴している視聴状況の画像を加工して、その加工された画像を部屋１乃至５に映写（表示）する。
【０２８３】
例えば、ユーザＡとＢはともに、それぞれの部屋１と２でパジャマを着用し、サッカーの試合の中継番組を視聴しているものとする。映写機１３１−１には、メモリ３６が出力する、カメラ１２１−２で撮像されたサッカーの試合の中継番組を視聴しているユーザＢの視聴状況の画像が供給される。また、映写機１３１−２には、メモリ３６が出力する、カメラ１２１−１で撮像されたサッカーの試合の中継番組を視聴しているユーザＡの視聴状況の画像が供給される。
【０２８４】
映写機１３１−１の画像加工部１３２−１は、メモリ３６から供給される、ユーザＢがパジャマ姿でサッカーの試合の中継番組を視聴している視聴状況の画像のうち、ユーザＢのパジャマの画像を、例えば、内部のメモリ（図示せず）に予め記憶してあるサッカーのユニフォームの画像に加工して、部屋１の壁に映写する。あるいは、画像加工部１３２−１は、例えば、いま放送されているサッカーの試合の中継番組のなかの試合会場のスタンドで観戦しているサポータが着用しているユニフォームの画像を捉え、ユーザＢがパジャマ姿でサッカーの試合の中継番組を視聴している視聴状況の画像のうち、ユーザＢのパジャマの画像を、そのサポータが着用しているユニフォームの画像に加工して、部屋１の壁に映写する。
【０２８５】
映写機１３１−２の画像加工部１３２−２も、同様に、ユーザＡがパジャマ姿でサッカーの試合の中継番組を視聴している視聴状況の画像のうち、ユーザＡのパジャマの画像を、サッカーのユニフォームの画像に加工して、部屋１の壁に映写する。
【０２８６】
なお、画像加工部１３２は、映写機１３１に内蔵させず、独立に設けることが可能である。
【０２８７】
次に、図１６のフローチャートを参照して、図１５の受信装置１における番組出力処理（第４の番組出力処理）について説明する。
【０２８８】
図１６のステップＳ９９を除くステップＳ９１乃至Ｓ１００の処理は、図１３の第３の番組出力処理のステップＳ７１乃至Ｓ７９の処理と同様である。換言すれば、図１６の番組出力処理は、図１３のステップＳ７８に対応するステップＳ９８と、図１３のステップＳ７９に対応するステップＳ１００との間に、新たにステップＳ９９の処理が追加されている。従って、図１３の第３の番組出力処理と対応する部分については、その説明を適宜省略する。
【０２８９】
ステップＳ９９において、画像加工部１３２は、コントローラ３１の制御の下、メモリ３６が出力する、他の部屋でユーザが所望するジャンルの番組を視聴している視聴状況を撮像した撮像信号から得られる撮像画像の加工を開始して、ステップＳ１００に進む。これにより、例えば、上述したように、撮像画像におけるパジャマを着用していたユーザの画像が、サッカーのユニフォームを着用しているユーザの画像に加工される。
【０２９０】
ステップＳ１００では、映写機１３１は、コントローラ３１の制御の下、ステップＳ９９で加工された画像の映写（表示）を開始して、処理を終了する。これにより、例えば、上述したように、複数のユーザがサッカーの試合の中継番組を視聴している場合、各部屋のサッカーの試合の中継番組を視聴しているユーザは、他の部屋のユーザが、サッカーのユニフォームを着用して、同一のサッカーの試合の中継番組を視聴している視聴状況の画像が、自分の部屋の壁に表示される。
【０２９１】
従って、各部屋でサッカーの試合の中継番組を視聴しているユーザは、他の人（ユーザ）と一緒にサッカーの試合を観戦しているような感覚を得る（体感する）ことができる。また、各部屋でサッカーの試合の中継番組を視聴しているユーザは、サッカーの試合が行われている会場で、その試合を観戦しているような感覚を得る（体感する）ことができる。
【０２９２】
以上のように、第３実施の形態では、図１５の受信装置１が受信するディジタル放送の放送信号の内容に合わせて、ユーザは、ユーザに好都合なように、放送信号の内容（番組）を視聴すること、即ち、ユーザが所望するジャンルの番組を、なんらの操作をすることなく視聴することができる。
【０２９３】
図１７は、図１の住宅システムの建物内に設置される受信装置１の第４実施の形態の構成例を示すブロック図である。図１７において、図２の第１実施の形態と対応する部分については同一の符号を付してあり、その説明を適宜省略する。
【０２９４】
図１７の受信装置１では、アクチュエータ１４１と１４２が設けられている他は、図２の受信装置１と同様に構成されている。
【０２９５】
アクチュエータ１４１および１４２は、コントローラ３１の制御に基づいて、隣接する部屋を隔てる壁を駆動し、壁を取り除いた状態にする。アクチュエータ１４１は、コントローラ３１の制御に基づいて、ユーザＡの部屋１とユーザＢの部屋２との間の壁Ｗ（図１４参照）を駆動させ、壁Ｗがない状態にする。アクチュエータ１４２は、コントローラ３１の制御に基づいて、ユーザＤの部屋４とユーザＥの部屋５との間の壁（図示せず）を駆動させ、壁がない状態にする。ここで、部屋１と２および部屋４と５とは、互いに（左右に）隣接して配置されており、その他の部屋は、互いに隣接していないものとする。
【０２９６】
また、アクチュエータ１４１および１４２は、コントローラ３１の制御に基づいて、隣接する部屋を隔てる壁が取り除かれた状態から、壁を駆動することにより、壁がある状態にする（戻す）こともできる。アクチュエータ１４１は、コントローラ３１の制御に基づいて、ユーザＡの部屋１とユーザＢの部屋２との間の壁Ｗを駆動させ、壁Ｗにより部屋１と部屋２が隔てられた状態にする。また、アクチュエータ１４２は、コントローラ３１の制御に基づいて、ユーザＤの部屋４とユーザＥの部屋５との間の壁を駆動させ、壁により部屋４と部屋５が隔てられた状態にする。
【０２９７】
次に、図１８のフローチャートを参照して、第４実施の形態における受信装置１の、番組出力処理（第５の番組出力処理）について説明する。
【０２９８】
図１８のステップＳ１１１乃至Ｓ１１５の処理は、図１０の第１の番組出力処理のステップＳ３１乃至Ｓ３５の処理と同様である。従って、図１０の第１の番組出力処理と対応する部分については、その説明を適宜省略する。
【０２９９】
ステップＳ１１５では、コントローラ３１は、ステップＳ１１１で検出された番組のジャンルを所望するユーザの部屋のうち、ステップＳ１１２でユーザがいると検出された部屋のディスプレイ２２とスピーカ２３をセレクタ２０と２１に選択させる。セレクタ２０は、コントローラ３１の制御により選択したディスプレイ２２に、合成部１８から供給されたビデオデータを出力する。従って、セレクタ２０に選択されたディスプレイ２２では、チューナ１１で検出された番組の画像が高品質の画像に変換されたものが表示される。
【０３００】
また、セレクタ２１は、コントローラ３１の制御により選択したスピーカ２３に、オーディオデコーダ１６から供給されたオーディオデータを出力する。従って、セレクタ２１に選択されたスピーカ２３では、チューナ１１で検出された番組の音声が出力される。
【０３０１】
ステップＳ１１５からステップＳ１１６に進み、コントローラ３１は、ステップＳ１１２において、ステップＳ１１１で検出された番組のジャンルを所望するユーザの部屋にユーザがいるかどうかを判定したときに、複数の部屋にユーザがいることを検出していたか否かを判定する。ステップＳ１１６で、複数の部屋にユーザがいることを検出していないと判定された場合、即ち、ステップＳ１１２では、１の部屋だけにユーザがいたことを検出した場合、ステップＳ１１７乃至Ｓ１１８をスキップして処理を終了する。
【０３０２】
一方、ステップＳ１１６で、複数の部屋にユーザがいたことを検出したと判定された場合、ステップＳ１１７に進み、コントローラ３１は、ユーザがいると判定された部屋が隣接しているかどうかを判定する。ここで、コントローラ３１は、第１実施の形態で説明したように、ユーザの部屋に設置されたセンサ３７から、ユーザが部屋にいることを検出した検出信号を受信し、メモリ３６に記憶されている図３の右側の表のデータを参照することにより、ユーザがいる部屋がどの部屋であるかを認識することができる。
【０３０３】
ステップＳ１１７において、ユーザがいると判定された部屋がいずれも隣接していない場合、ステップＳ１１８をスキップして、処理を終了する。
【０３０４】
一方、ステップＳ１１７において、ユーザがいると判定された部屋のいずれかが隣接していると判定された場合、ステップＳ１１８に進み、アクチュエータ１４１または１４２は、コントローラ３１の制御に基づいて、隣接する部屋を隔てる壁を駆動し、壁がない状態にして、処理を終了する。
【０３０５】
例えば、ユーザＡとユーザＢがそれぞれの部屋１と２にいてチューナ１１で検出された番組を視聴していると判定された場合、コントローラ３１は、アクチュエータ１４１に、ユーザＡの部屋１とユーザＢの部屋２との間の壁Ｗを駆動させ、壁Ｗがない状態にさせる。また、ユーザＤとユーザＥがそれぞれの部屋にいてチューナ１１で検出された番組を視聴していると判定された場合、コントローラ３１は、アクチュエータ１４２に、ユーザＤの部屋４とユーザＥの部屋５との間の壁を駆動させ、壁がない状態にさせる。
【０３０６】
以上のように、第４実施の形態では、所望のジャンルの番組を視聴している複数のユーザが隣接する部屋にいる場合、その隣接する部屋を隔てる壁が取り除かれる。従って、所望のジャンルの番組を視聴している隣り合う部屋の各ユーザは、壁が取り除かれた２つの部屋、即ち、１つの部屋で一緒にその番組を視聴することができる。このことにより、自分の部屋において一人で所望のジャンルの番組を視聴しているユーザに、他の（部屋の）ユーザと一緒に番組を視聴している感覚を与えることができ、ユーザは、番組の視聴の際に一体感、臨場感などを得る（体感する）ことができる。
【０３０７】
従って、図１７の受信装置１が受信するディジタル放送の放送信号の内容に合わせて、ユーザは、ユーザに好都合なように、放送信号の内容（番組）を視聴すること、即ち、ユーザが所望するジャンルの番組を、なんらの操作をすることなく視聴することができる。
【０３０８】
なお、隣接する２つの部屋の壁が取り除かれた場合、その２つの部屋の壁が取り除かれることによって一続きになった壁や床全体に、番組の画像を映写（表示）することができる。
【０３０９】
また、ユーザが所望する番組が終了した後に自動的に、あるいは、ユーザの操作に対応する操作信号に基づいて、取り除かれた部屋の壁が元に戻るようにすることができる。
【０３１０】
さらに、上述した第２の実施の形態における体感モードの状態に応じて、ユーザが一人で番組を視聴したい場合、隣接する部屋の壁を駆動しないようにすることもできる。この場合、コントローラ３１は、メモリ３６に記憶されている体感モードのオンまたはオフの状態によって、アクチュエータ１４１および１４２をオンまたはオフさせる。
【０３１１】
図１９は、図１の住宅システムの建物内に設置される受信装置１の第５実施の形態の構成例を示すブロック図である。図１９において、図１２の第２実施の形態と対応する部分については同一の符号を付してあり、その説明を適宜省略する。
【０３１２】
図１９の受信装置１では、記録再生装置１５１−１と１５１−２が新たに設けられている他は、図１２の第２実施の形態と同様に構成されている。以下において、記録再生装置１５１−１と１５１−２を特に区別する必要がない場合（記録再生装置１５１−１と１５１−２のうちの、どちらの記録再生装置でもよい場合）には、記録再生装置１５１と称する。
【０３１３】
記録再生装置１５１−１と１５１−２それぞれは、セレクタ２０または２１が出力する所定の画像信号または音声信号を、内部に有する記録媒体１５２−１と１５２−２それぞれに記録する。ここで、記録媒体１５２−１および１５２−２を特に区別する必要がない場合には、記録媒体１５２と称する。
【０３１４】
記録媒体１５２は、例えば、ハードディスク、半導体メモリ、CD-R(Compact Disk-Recordable)やDVD(Digital Versatile Disk)などの光（磁気）ディスクなどで構成される。
【０３１５】
ユーザの所望のジャンルに該当する番組が検出され、その検出された番組を所望のジャンルとする一人以上のユーザの部屋にユーザがいないと判定され、かつ、記録媒体１５２−１にデータを記憶することが可能な記憶容量が十分あると判定された場合、コントローラ３１は、セレクタ２０と２１が、ビデオデータとオーディオデータの出力先として、記録再生装置１５１−１を選択するように制御する。
【０３１６】
記録再生装置１５１−１は、セレクタ２０から供給される、チューナ１１で検出されたユーザが所望するジャンルの番組のビデオデータを、記録媒体１５２−１に記録する。また、記録再生装置１５１−１は、セレクタ２１から供給される、チューナ１１で検出されたユーザが所望するジャンルの番組のオーディオデータを、記録媒体１５２−１に記録する。
【０３１７】
また、コントローラ３１は、記録媒体１５２−１に記録した番組のビデオデータとオーディオデータとともに、その番組のジャンルを記録媒体１５２−１に供給して、記録させる。
【０３１８】
さらに、ユーザの所望のジャンルに該当する番組が検出され、その検出された番組を所望のジャンルとするユーザがいる部屋には、コントローラ３１は、検出された番組を所望のジャンルとするユーザがいる部屋のディスプレイ２２とスピーカ２３も、セレクタ２０と２１が選択するように制御する。
【０３１９】
ディスプレイ２２は、セレクタ２０から供給される、チューナ１１で検出されたユーザが所望するジャンルの番組のビデオデータを、上述したその他の実施の形態と同様に、その番組の画像として表示する。
【０３２０】
スピーカ２３は、セレクタ２１から供給される、チューナ１１で検出されたユーザが所望するジャンルの番組のオーディオデータを、上述したその他の実施の形態と同様に、音声として出力する。
【０３２１】
また、ユーザの所望のジャンルに該当する番組が検出され、その検出された番組を所望のジャンルとするユーザが複数いる場合であって、そのうちの一部のユーザが部屋にいないと判定された場合、コントローラ３１は、ユーザがいる部屋のカメラ１２１に、ユーザの視聴状況を撮像させる。そして、コントローラ３１は、カメラ１２１が出力する、ユーザの視聴状況を撮像した撮像信号を、記録再生装置１５１−２に供給させる。
【０３２２】
記録再生装置１５１−２は、カメラ１２１から供給されるユーザの視聴状況を撮像した撮像信号を記録媒体１５２−２に記録する。
【０３２３】
そして、ユーザの所望のジャンルの番組がチューナ１１において検出されたときに部屋にいなかったユーザが、部屋にいると新たに検出された場合、即ち、ユーザの所望のジャンルの番組がチューナ１１において検出されたときに部屋にいなかったユーザが、部屋に戻ってきた場合、コントローラ３１は、記録媒体１５２−１に記録されている、ユーザが部屋にいないときにチューナ１１が検出した、ユーザが所望するジャンルの番組の画像と音声を再生し、ディスプレイ２２とスピーカ２３に出力させるように、セレクタ２０と２１を制御する。
【０３２４】
即ち、記録再生装置１５１−１は、コントローラ３１の制御の下、記録媒体１５２−１に記録されている、ユーザが所望するジャンルの番組のビデオデータを再生し、セレクタ２０に出力する。また、記録再生装置１５１−１は、コントローラ３１の制御の下、記録媒体１５２−１に記録されているユーザが所望するジャンルの番組のオーディオデータを再生し、セレクタ２１に出力する。セレクタ２０と２１は、コントローラ３１の制御の下、ユーザが戻ってきた部屋のディスプレイ２２とスピーカ２３を選択する。
【０３２５】
ディスプレイ２２は、セレクタ２０からビデオデータが供給されると、そのビデオデータを、例えばNTSC方式のビデオデータに変換し、その結果得られる画像を表示する。また、スピーカ２３は、セレクタ２１からオーディオデータが供給されると、そのオーディオデータをアナログ変換し、音声として出力する。
【０３２６】
さらに、ユーザの所望のジャンルの番組がチューナ１１において検出されたときに部屋にいなかったユーザが、部屋にいると新たに検出された場合、即ち、ユーザの所望のジャンルの番組がチューナ１１において検出されたときに部屋にいなかったユーザが、部屋に戻ってきた場合、コントローラ３１は、記録媒体１５２−２に記録されている、同一番組を視聴した他の部屋のユーザの視聴状況の画像をディスプレイ２２に出力させるように制御する。
【０３２７】
即ち、記録再生装置１５１−２は、コントローラ３１の制御の下、記録媒体１５２−２に記録されている同一番組を視聴した他のユーザの視聴状況を撮像した撮像信号を再生し、映写機１２２に出力する。そして、ユーザが戻ってきた部屋の映写機１２２は、コントローラ３１の制御の下、記録媒体１５２−２が出力する撮像信号から得られる画像を部屋に映写する。
【０３２８】
次に、図２０のフローチャートを参照して、図１９の受信装置１における番組出力処理（第６の番組出力処理）について説明する。
【０３２９】
はじめに、ステップＳ１７１において、コントローラ３１は、上述した第１の番組出力処理のステップＳ３１と同様に、ユーザＡ乃至Ｅの所望（好み）のジャンルに該当する番組を検出したか否かを判定し、ユーザＡ乃至Ｅの所望のジャンルに該当する番組が検出されるまで、ステップＳ１７１の処理が繰り返される。
【０３３０】
ステップＳ１７１で、ユーザＡ乃至Ｅの所望のジャンルに該当する番組を検出したと判定された場合、ステップＳ１７２に進み、コントローラ３１は、上述した第１の番組出力処理のステップＳ３２と同様に、ステップＳ１７１で検出された番組のジャンルを所望するユーザの部屋にユーザがいるかどうかを判定する。ステップＳ１７２において、ステップＳ１７１で検出された番組のジャンルを所望するユーザのいずれの部屋にもユーザがいないと判定された場合、ステップＳ１７３に進む。
【０３３１】
ステップＳ１７３では、コントローラ３１は、データを記憶することが可能な記憶容量が記録媒体１５２−１に十分あるか否かを判定する。ステップＳ１７３において、データを記憶することが可能な記憶容量が記録媒体１５２−１にないと判定された場合、ステップＳ１７１に戻り、それ以降の処理が繰り返される。
【０３３２】
一方、ステップＳ１７３において、データを記憶することが可能な記憶容量が記録媒体１５２−１に十分あると判定された場合、ステップＳ１７４に進む。
【０３３３】
ステップＳ１７４では、チューナ１１で検出された番組のトランスポートストリームが、復調部１２、およびエラー訂正処理部１３を介して、デマルチプレクサ１４に供給される。そして、デマルチプレクサ１４は、ユーザの所望のジャンルの番組のTSパケットのうち、ビデオデータをビデオデコーダ１５に、オーディオデータをオーディオデコーダ１６に、それぞれ供給する。ここで、ユーザが所望するジャンルの番組が複数検出された場合には、第２の番組出力処理と同様に、メモリ３６に記憶されているジャンルの優先順位に基づいて、より優先順位の高いジャンルの番組が選択される。
【０３３４】
ビデオデコーダ１５は、デマルチプレクサ１４からのTSパケットのビデオデータをMPEGデコードしてDRC部１７に供給する。
【０３３５】
また、オーディオデコーダ１６は、デマルチプレクサ１４からのTSパケットのオーディオデータをMPEGデコードして、セレクタ２１に供給し、ステップＳ１７４からステップＳ１７５に進む。
【０３３６】
ステップＳ１７５において、DRC部１７は、ビデオデコーダ１５が出力するMPEGデコードされたビデオデータを第１の画像信号として、その第１の画像信号を、高品質（高画質）の画像信号(第２の画像信号)に変換して、合成部１８に供給することを開始する。また、ステップＳ１７５では、合成部１８は、重畳するビデオデータがＯＳＤ部１９から入力されている場合には、ＯＳＤ部１９が出力するビデオデータを、DRC部１７から供給される高品質の画像信号に重畳して、セレクタ２０に出力する。一方、合成部１８に重畳するビデオデータがOSD部１９から入力されていない場合、合成部１８は、DRC部１７から供給される高品質の画像信号をそのままセレクタ２０に出力する。
【０３３７】
ステップＳ１７５からステップＳ１７６に進み、コントローラ３１は、セレクタ２０と２１が記録再生装置１５１−１を選択するように制御する。これにより、セレクタ２０は、合成部１８から供給されるビデオデータを記録再生装置１５１−１に供給し、セレクタ２１は、オーディオデータ１６から供給されるオーディオデータを記録再生装置１５１−１に供給する。また、ステップＳ１７６では、記録再生装置１５１−１は、セレクタ２０から供給される、チューナ１１で検出されたユーザが所望するジャンルの番組のビデオデータの、記録媒体１５２−１への記録を開始する。また、記録再生装置１５１−１は、セレクタ２１から供給される、チューナ１１で検出されたユーザが所望するジャンルの番組のオーディオデータの、記録媒体１５２−１への記録を開始する。
【０３３８】
さらに、ステップＳ１７６では、記録再生装置１５１−１は、コントローラ３１から供給される、いま記録した番組のジャンルを記録媒体１５２−１に記録し、番組のビデオデータおよびオーディオデータの放送の終了後、記録を終了して、ステップＳ１７１に戻る。
【０３３９】
一方、ステップＳ１７２において、ステップＳ１７１で検出された番組のジャンルを所望するユーザの部屋にユーザがいると判定された場合、ステップＳ１７７に進む。
【０３４０】
ステップＳ１７７とＳ１７８の処理は、上述したステップＳ１７４とＳ１７５の処理とそれぞれ同様である。即ち、チューナ１１で検出された番組のビデオデータとオーディオデータがMPEGデコードされる。また、ビデオデコーダ１５が出力するビデオデータが高品質のビデオデータに変換される。
【０３４１】
ステップＳ１７８からステップＳ１７９に進み、コントローラ３１は、ステップＳ１７１で検出された番組のジャンルを所望するユーザの部屋のうち、ステップＳ１７２でユーザがいると検出された部屋のディスプレイ２２とスピーカ２３をセレクタ２０と２１に選択させる。セレクタ２０は、コントローラ３１の制御により選択したディスプレイ２２に、合成部１８から供給されたビデオデータを出力する。従って、セレクタ２０に選択されたディスプレイ２２では、チューナ１１で検出された番組の画像が高品質の画像に変換されたものが表示される。
【０３４２】
また、セレクタ２１は、コントローラ３１の制御により選択したスピーカ２３に、オーディオデコーダ１６から供給されたオーディオデータを出力する。従って、セレクタ２１に選択されたスピーカ２３では、チューナ１１で検出された番組の音声が出力される。
【０３４３】
ステップＳ１７９からステップＳ１８０に進み、コントローラ３１は、ステップＳ１７２でユーザがいると判定された全ての部屋に設置されているカメラ１２１に、ステップＳ１７１で検出された所望のジャンルの番組を視聴しているユーザの視聴状況を撮像させる。ユーザがいると判定された部屋に設置されているカメラ１２１は、コントローラ３１の制御の下、ステップＳ１７１で検出された番組を視聴しているユーザの視聴状況の撮像を開始して、ステップＳ１８１に進む。ここで、カメラ１２１で撮像された撮像信号は、メモリ３６に供給され、そこで一時記録される。
【０３４４】
ステップＳ１８１において、コントローラ３１は、ステップＳ１７１で検出された番組のジャンルを所望するユーザの部屋のうちの一部の部屋にユーザが不在であるか否かを判定する。ステップＳ１７１で検出された番組のジャンルを所望するユーザの部屋のうちの一部の部屋にユーザが不在ではない、即ち、ステップＳ１７１で検出された番組のジャンルを所望するユーザの部屋すべてにユーザがいると判定された場合、ステップＳ１８２乃至Ｓ１８４の処理をスキップし、処理を終了する。
【０３４５】
一方、ステップＳ１８１において、ステップＳ１７１で検出された番組のジャンルを所望するユーザの部屋のうちの一部の部屋にユーザが不在であると判定された場合、ステップＳ１８２に進み、コントローラ３１は、データを記憶することが可能な記憶容量が記録媒体１５２−１に十分あるか否かを判定する。ステップＳ１８２において、データを記憶することが可能な記憶容量が記録媒体１５２−１にないと判定された場合、ステップＳ１７１に戻り、それ以降の処理が繰り返される。
【０３４６】
一方、ステップＳ１８２において、データを記憶することが可能な記憶容量が記録媒体１５２−１に十分あると判定された場合、ステップＳ１８３に進む。
【０３４７】
ステップＳ１８３では、ステップＳ１７７でMPEGデコードされたビデオデータとオーディオデータの記録媒体１５２−１への記録が記録再生装置１５１−１により開始される。また、ステップＳ１８３では、チューナ１１で検出された番組が該当するジャンルも記録再生装置１５１−１により記録媒体１５２−１に記録される。
【０３４８】
ステップＳ１８３からステップＳ１８４に進み、記録再生装置１５１−２は、コントローラ３１の制御の下、ステップＳ１８０で開始されたユーザの視聴状況の撮像により得られる撮像信号の記録媒体１５２−２への記録を開始する。そして、ステップＳ１８３で記録している番組のビデオデータおよびオーディオデータの放送の終了後、ステップＳ１８３とＳ１８４で開始された記録を終了して、処理を終了する。
【０３４９】
上述した第６の番組出力処理では、ステップＳ１８０において、カメラ１２１がユーザの視聴状況を撮像した撮像信号は、ステップＳ１８４で記録再生装置１５１−２に供給され、記録媒体１５２−２に記録されるようにしたが、カメラ１２１がユーザの視聴状況を撮像した撮像信号を高品質の画像信号に変換した後で、記録媒体１５２−２に記録するようにすることもできる。この場合、コントローラ３１は、カメラ１２１が出力する撮像信号を、DRC部１７に供給させる。そして、DRC部１７において、カメラ１２１が出力する撮像信号を、第１の画像信号として、高品質の画像信号（第２の画像信号）に変換する。その高品質に変換された、ユーザの視聴状況を撮像した撮像信号が、記録再生装置１５１−２に供給され、記録媒体１５２−１に記録される。
【０３５０】
また、図１９の受信装置１では、記録再生装置１５１−１は、チューナ１１が検出した番組のデータを記録媒体１５２−１に記録し、記録再生装置１５１−２は、ユーザの視聴状況を撮像した撮像信号を記録媒体１５２−２に記録するようにしたが、記録再生装置１５１−１がユーザの視聴状況を撮像した撮像信号を記録媒体１５２−１に記録し、記録再生装置１５１−２が、チューナ１１が検出した番組のデータを記録媒体１５２−２に記録するようにしてもよい。
【０３５１】
また、記録再生装置１５１が、ユーザの視聴状況を撮像した撮像信号を記録媒体１５２に記録する場合、ユーザの部屋の状態を集音するマイクロホンを部屋に設け、撮像信号だけでなく、ユーザの部屋の音声信号も記録媒体１５２に記録するようにしてもよい。
【０３５２】
さらに、図１９の受信装置１には、２つの記録再生装置１５１を設けたが、受信装置１には、３つ以上の記録再生装置１５１を設けてもよい。
【０３５３】
また、コントローラ３１は、体感モードのオンまたはオフの状態を記録媒体１５２−２に記録させるようにしてもよい。
【０３５４】
以上のように、第６の番組出力処理では、ユーザの所望のジャンルに該当する番組を検出したと判定された場合、その番組のジャンルを所望するユーザの部屋すべてにユーザがいれば、そのすべての部屋のディスプレイ２２とスピーカ２３でチューナ１１で検出された番組の画像と音声が出力される。
【０３５５】
また、ユーザの所望のジャンルに該当する番組を検出したと判定され、かつ、その番組のジャンルを所望するユーザの部屋すべてにユーザがいないと判定された場合、チューナ１１で検出された番組が記録再生装置１５１の記録媒体１５２に記録される。
【０３５６】
さらに、ユーザの所望のジャンルに該当する番組を検出したと判定され、かつ、その番組のジャンルを所望する一部のユーザの部屋にユーザがいて、その他のユーザの部屋にユーザがいない（不在）と判定された場合、部屋にいるユーザには、その部屋のディスプレイ２２とスピーカ２３でチューナ１１で検出された番組の画像と音声が出力される。また、部屋にいないユーザのために、チューナ１１で検出された番組が記録再生装置１５１の記録媒体１５２に記録される。さらに、部屋にいるユーザがチューナ１１で検出された番組を視聴している視聴状況も記録再生装置１５１の記録媒体１５２に記録される。
【０３５７】
従って、図１９の受信装置１が受信するディジタル放送の放送信号の内容に合わせて、ユーザは、ユーザに好都合なように、放送信号の内容（番組）を視聴すること、即ち、ユーザが所望するジャンルの番組を、なんらの操作をすることなく視聴することができる。
【０３５８】
さて、上述したように、ユーザＡ乃至Ｅの所望のジャンルに該当する番組を検出したと判定され、かつ、その番組のジャンルを所望するユーザのいずれかの部屋にユーザがいないと判定された場合、チューナ１１で検出された番組が記録再生装置１５１の記録媒体１５２に記録される。また、その番組を検出したときに、その番組のジャンルを所望するユーザの一部の部屋にユーザがいた場合、その部屋で視聴していたユーザの視聴状況の撮像画像も記録再生装置１５１の記録媒体１５２に記録される。
【０３５９】
記録媒体１５２に記録されている番組を所望するユーザが部屋に戻ってきた場合、そのユーザは、自分が部屋にいなかったときに放送された番組を視聴することを所望すると予想される。
【０３６０】
そこで、受信装置１は、記録媒体１５２に記録されている番組を所望するユーザが部屋に戻ってきた場合、記録媒体１５２に記録されている番組を再生する番組再生処理（第１の番組再生処理）を行う。この番組再生処理について、図２１のフローチャートを参照して説明する。この番組再生処理は、少なくとも、記録媒体１５２に番組のデータが記録されている場合に実行される。
【０３６１】
はじめに、ステップＳ２０１において、コントローラ３１は、ユーザが部屋１乃至５のいずれかにいるかどうかを判定する。ユーザが部屋にいないと判定された場合、ステップＳ２０１の処理が繰り返される。
【０３６２】
ステップＳ２０１で、ユーザが部屋１乃至５のいずれかにいると判定された場合、ステップＳ２０２に進み、コントローラ３１は、記録再生装置１５１の記録媒体１５２に記録されている番組を検出する。そして、コントローラ３１は、ステップＳ２０１において部屋にいると判定されたユーザが所望するジャンルの番組が、記録媒体１５２に記録されているか否かを判定する。ステップＳ２０２で、部屋にいると判定されたユーザが所望するジャンルの番組が記録媒体１５２に記録されていないと判定された場合、ステップＳ２０３乃至Ｓ２０８の処理をスキップして、処理を終了する。
【０３６３】
ステップＳ２０２で、部屋にいると判定されたユーザが所望するジャンルの番組が記録媒体１５２に記録されていると判定された場合、ステップＳ２０３に進み、コントローラ３１は、いま放送中の他の番組をデコード中であるか否か、即ち、いまチューナ１１においてユーザが所望するジャンルの番組が検出され、その番組のトランスポートストリームが復調部１２、エラー訂正処理部１３、およびデマルチプレクサ１４を介して、ビデオデコーダ１５とオーディオデコーダ１６によりデコードされているか否かを判定する。
【０３６４】
ステップＳ２０３で、いま放送中の他の番組をデコード中であると判定された場合、ステップＳ２０３の処理が繰り返される。即ち、その放送中の他の番組のデコード（放送）が終了するまで待機する。
【０３６５】
ステップＳ２０３の処理によれば、ユーザＡ乃至Ｅのいずれかがそれぞれの部屋１乃至５にいる場合であって、現在放送中のユーザＡ乃至Ｅが所望するジャンルの番組がある場合には、それを優先してユーザＡ乃至Ｅの部屋１乃至５に番組が出力される。一方、現在放送中の番組の中に、部屋にいるユーザが所望するジャンルの番組がない場合に、ステップＳ２０４以降の処理が行われる。
【０３６６】
即ち、ステップＳ２０３で、いま放送中の他の番組をデコード中でないと判定された場合、ステップＳ２０４に進み、コントローラ３１は、ステップＳ２０２で検出された、ユーザが所望するジャンルの番組であって、記録再生装置１５１の記録媒体１５２に記録されている番組を、記録再生装置１５１に再生させる。記録再生装置１５１は、コントローラ３１の制御の下、記録媒体１５２に記録された番組のビデオデータとオーディオデータの再生を開始し、セレクタ２０と２１に出力して、ステップＳ２０５に進む。
【０３６７】
ステップＳ２０５では、コントローラ３１は、ステップＳ２０１でユーザがいると検出され、かつ、ステップＳ２０４で再生されている番組のジャンルを所望のジャンルとするユーザの部屋のディスプレイ２２とスピーカ２３をセレクタ２０と２１に選択させる。そして、セレクタ２０は、コントローラ３１の制御により選択したディスプレイ２２に、記録再生装置１５１から供給されるビデオデータを出力する。従って、セレクタ２０に選択されたディスプレイ２２では、記録再生装置１５１から供給されるビデオデータ（画像）が表示される。
【０３６８】
また、セレクタ２１は、コントローラ３１の制御により選択したスピーカ２３に、記録再生装置１５１から供給されるオーディオデータを出力する。従って、セレクタ２１に選択されたスピーカ２３では、記録再生装置１５１から供給されるオーディオデータ（音声）が出力される。
【０３６９】
ステップＳ２０５からＳ２０６に進み、コントローラ３１は、以前に他のユーザがステップＳ２０４で再生された番組を視聴している視聴状況の撮像信号が、記録再生装置１５１の記録媒体１５２に記録されているか否かを判定する。ステップＳ２０６で、以前に他のユーザがステップＳ２０４で再生された番組を視聴している視聴状況の撮像信号が、記録再生装置１５１の記録媒体１５２に記録されていないと判定された場合、ステップＳ２０７とＳ２０８をスキップして、処理を終了する。
【０３７０】
一方、ステップＳ２０６で、以前に他のユーザがステップＳ２０４で再生された番組を視聴している視聴状況の撮像信号が、記録再生装置１５１の記録媒体１５２に記録されていると判定された場合、ステップＳ２０７に進み、コントローラ３１は、記録媒体１５２に記録されている、以前に他のユーザがステップＳ２０４で再生された番組を視聴している視聴状況の撮像信号を記録再生装置１５１に再生させる。記録再生装置１５１は、コントローラ３１の制御の下、記録媒体１５２に記録されている、以前に他のユーザがステップＳ２０４で再生された番組を視聴している視聴状況の撮像信号、即ち、その番組を放送しているときに部屋にいて、その番組を視聴したユーザの視聴状況を撮像した撮像信号の再生を開始する。再生された撮像信号は、ステップＳ２０１において部屋にいると判定され、かつ、ステップＳ２０４で再生された番組のジャンルを所望のジャンルとするユーザの部屋の映写機１２２に出力（供給）される。
【０３７１】
ステップＳ２０７からＳ２０８に進み、映写機１２２は、記録再生装置１５１から供給されたユーザの視聴状況の撮像信号から得られる画像の、部屋の壁への映写を開始して、番組のすべてのビデオデータおよびオーディオデータの再生の終了後、処理を終了する。
【０３７２】
以上のように、第１の番組再生処理では、ユーザが部屋に戻ってきた場合、そのユーザは、自分が部屋にいなかったときに放送された、所望のジャンルの番組を視聴することができる。
【０３７３】
また、記録媒体１５２に記録された番組が放送された時刻に、他のユーザが視聴していた場合、そのユーザの視聴状況も記録媒体１５２に記録されているので、部屋に戻ってきたユーザが記録媒体１５２に記録された所望の番組を視聴するときに、他のユーザの視聴状況を部屋の壁に映写することができ、ユーザは、記録媒体１５２に記録された番組を視聴する際においても、一体感、臨場感などを得る（体感する）ことができる。
【０３７４】
なお、上述したように、ユーザが部屋に戻ってきてすぐに、記録媒体１５２に記録されている番組を再生（出力）せずに、ユーザが部屋に戻ってきてから（ユーザが部屋にいることが新たに検出されてから）所定時間経過した後に、記録媒体１５２に記録されている番組の再生を開始するようにしてもよい。そうすることにより、部屋に戻ったユーザは、余裕をもって、所望のジャンルの番組を視聴することができる。
【０３７５】
また、ステップＳ２０４とＳ２０５との間、または、ステップＳ２０７とＳ２０８との間に、DRC部１７による画像変換処理を行うようにして、例えば、高品質の画像に変換された、番組の画像と音声を出力したり、ユーザの視聴状況を映写するようにすることもできる。
【０３７６】
さらに、ステップＳ２０６乃至Ｓ２０８の処理を省略して、他のユーザの視聴状況は映写（表示）せずに、記録媒体１５２に記録された番組の画像と音声だけを出力するようにすることもできる。
【０３７７】
図２２は、図１の住宅システムの建物内に設置される受信装置１の第６実施の形態の構成例を示すブロック図である。図２２において、図１９の第５実施の形態と対応する部分については同一の符号を付してあり、その説明を適宜省略する。
【０３７８】
上述した他の実施の形態のセンサ３７−１乃至３７−５では、ユーザが部屋にいるかどうかが検出され、ある部屋にユーザがいた場合、コントローラ３１は、ユーザがいると検出されたセンサがどのユーザの部屋に対応するか（設置されたものであるか）をメモリ３６に記憶されているデータ（図３参照）を参照して、誰が部屋にいるかを決定（認識）する。即ち、センサ３７とユーザとは、１対１に対応付けされていた。例えば、図３を参照して説明したように、部屋１にユーザがいれば（センサ３７−１によりユーザが検出されれば）、コントローラ３１において、そのユーザは、ユーザＡであると判定（認識）される。そして、コントローラ３１は、ユーザＡの所望するジャンルの番組を検出する。
【０３７９】
しかしながら、例えば、部屋１にユーザＢがいることもあり得る。この場合、部屋１の住人であるユーザＡの所望するジャンルの番組ではなくて、ユーザＢの所望するジャンルの番組を検出し、その番組の画像と音声を部屋１のディスプレイ２２とスピーカ２３に出力する必要がある。
【０３８０】
そこで、第６実施の形態では、部屋１乃至５にユーザがいると検出された場合、コントローラ３１は、そのユーザが誰であるかを認識（特定）するようにする。言い換えれば、コントローラ３１は、ユーザＡ乃至Ｅが、部屋１乃至５のうちのどの部屋にいるかどうかを認識するようにする。
【０３８１】
図２２の受信装置１では、図１９のセンサ３７−１乃至３７−５に代えて、センサ１６１−１乃至１６１−５が設けられている他は、図１９の受信装置１と同様に構成されている。
【０３８２】
センサ１６１−１乃至１６１−５それぞれは、上述した他の実施の形態のセンサ３７−１乃至３７−５と同様に、部屋１乃至５に設置されており、ユーザが部屋１乃至５のうちのどの部屋にいるかどうかを検出する。センサ１６１−１乃至１６１−５は、例えば、デジタルカメラ等で構成され、センサ１６１−１乃至１６１−５は、部屋１乃至５の内部を撮像する。
【０３８３】
また、センサ１６１−１乃至１６１−５は、認識処理部１６２−１乃至１６２−５をその内部に有している。但し、図２２では、認識処理部１６２−２乃至１６２−５の図示が省略されている。
【０３８４】
認識処理部１６２−１乃至１６２−５は、その撮像された画像（以下、撮像画像と称する）から、いわゆる前景等となっている物体の部分であるオブジェクトを抽出する。そして、認識処理部１６２−１乃至１６２−５は、図２３を参照して後述するメモリ３６に予め記憶されているパターン情報Ａ乃至Ｅに基づいて、その部屋にいるユーザが誰であるかを認識（特定）する。即ち、認識処理部１６２−１乃至１６２−５は、撮像画像から抽出されたオブジェクトと、メモリ３６に予め記憶されているパターン情報Ａ乃至Ｅを標準パターンとして比較（マッチング）することにより、その部屋にいるユーザが誰であるかを認識（特定）する。
【０３８５】
そして、センサ１６１−１乃至１６１−５それぞれは、ユーザＡ乃至Ｅのうちの誰が部屋にいるかを表す検出信号をコントローラ３１に供給する。
【０３８６】
以下において、センサ１６１−１乃至１６１−５を特に区別する必要がない場合には、センサ１６１と称する。また、認識処理部１６２−１乃至１６２−５を特に区別する必要がない場合には、認識処理部１６２と称する。
【０３８７】
ここで、センサ１６１は、上述したように、例えば、デジタルカメラ等で構成することができるので、カメラ１２１と共用することができる。
【０３８８】
図２３は、図２２のメモリ３６に記憶されているユーザＡ乃至Ｅそれぞれを認識するための認識情報を示している。
【０３８９】
メモリ３６は、図２３に示すように、各ユーザＡ乃至Ｅに対応させて、パターン情報Ａ乃至Ｅを記憶している。パターン情報Ａ乃至Ｅは、例えば、各ユーザＡ乃至Ｅの顔を撮像した画像ファイルや、その画像から抽出された特徴量などである。
【０３９０】
認識処理部１６２−１乃至１６２−５は、パターン情報Ａ乃至Ｅと部屋１乃至５で撮像された撮像画像（の特徴量）とを比較（マッチング）することにより、部屋にいるユーザを特定する。
【０３９１】
次に、図２４のフローチャートを参照して、第６実施の形態における受信装置１の、番組出力処理（第７の番組出力処理）について説明する。
【０３９２】
はじめに、ステップＳ２２１において、コントローラ３１は、アンテナからチューナ１１に入力されるディジタル放送の放送信号のなかに、図３を参照して説明したような、メモリ３６に記憶されているユーザＡ乃至Ｅの所望（好み）のジャンルに該当する番組を検出したか否かを判定する。そして、ユーザＡ乃至Ｅの所望のジャンルに該当する番組が検出されるまで、ステップＳ２２１の処理が繰り返される。
【０３９３】
ステップＳ２２１で、ユーザＡ乃至Ｅの所望のジャンルに該当する番組を検出したと判定された場合、ステップＳ２２２に進み、コントローラ３１は、センサ１６１−１乃至１６１−５に画像認識処理を行わせる。この画像認識処理により、部屋１乃至５の撮像画像とユーザＡ乃至Ｅのパターン情報Ａ乃至Ｅとが比較（マッチング）される。そして、ステップＳ２２２からＳ２２３に進む。なお、ステップＳ２２２の画像認識処理については、図２５を参照して後述する。
【０３９４】
ステップＳ２２３において、コントローラ３１は、ステップＳ２２１で検出された番組のジャンルを所望するユーザが部屋１乃至５のいずれかにいるかどうかを判定する。即ち、ステップＳ２２３では、コントローラ３１は、どのセンサ１６１から、ユーザＡ乃至Ｅのうちの誰が部屋にいるかを表す検出信号を受信したか（供給されたか）によって、ステップＳ２２１で検出された番組のジャンルを所望するユーザが部屋１乃至５のいずれかにいるかどうかを判定する。ステップＳ２２３で、ステップ２２１で検出された番組のジャンルを所望するユーザがいずれの部屋にもいないと判定された場合、ステップＳ２２１に戻る。
【０３９５】
一方、ステップＳ２２３において、ステップＳ２２１で検出された番組のジャンルを所望するユーザが部屋１乃至５のいずれかにいると判定された場合、ステップＳ２２４に進み、ステップＳ２２１で検出された番組のトランスポートストリームが、復調部１２、およびエラー訂正処理部１３を介して、デマルチプレクサ１４に供給される。そして、デマルチプレクサ１４は、ユーザの所望のジャンルの番組のTSパケットのうち、ビデオデータをビデオデコーダ１５に、オーディオデータをオーディオデコーダ１６に、それぞれ供給する。
【０３９６】
ビデオデコーダ１５は、デマルチプレクサ１４からのTSパケットのビデオデータをMPEGデコードしてDRC部１７に供給する。
【０３９７】
また、オーディオデコーダ１６は、デマルチプレクサ１４からのTSパケットのオーディオデータをMPEGデコードして、セレクタ２１に供給し、ステップＳ２２４からステップＳ２２５に進む。
【０３９８】
ステップＳ２２５において、DRC部１７は、ビデオデコーダ１５が出力するMPEGデコードされたビデオデータを第１の画像信号として、その第１の画像信号を、高品質（高画質）の画像信号(第２の画像信号)に変換して、合成部１８に供給する。合成部１８は、重畳するビデオデータがＯＳＤ部１９から入力されている場合には、ＯＳＤ部１９が出力するビデオデータを、DRC部１７から供給される高品質の画像信号に重畳して、セレクタ２０に出力する。一方、合成部１８に重畳するビデオデータがOSD部１９から入力されていない場合には、合成部１８は、DRC部１７から供給される高品質の画像信号をそのままセレクタ２０に出力する。
【０３９９】
ステップＳ２２５からステップＳ２２６に進み、コントローラ３１は、ステップＳ２２１で検出された番組のジャンルを所望するユーザであって、ステップＳ２２３でユーザがいると検出された部屋のディスプレイ２２とスピーカ２３をセレクタ２０と２１に選択させる。セレクタ２０は、コントローラ３１の制御により選択したディスプレイ２２に、合成部１８から供給されたビデオデータを出力する。従って、セレクタ２０に選択されたディスプレイ２２では、チューナ１１で検出された番組の画像が高品質の画像に変換されたものが表示される。
【０４００】
また、セレクタ２１は、コントローラ３１の制御により選択したスピーカ２３に、オーディオデコーダ１６から供給されたオーディオデータを出力する。従って、セレクタ２１に選択されたスピーカ２３では、チューナ１１で検出された番組の音声が出力される。
【０４０１】
上述した第７の番組出力処理では、所望のジャンルの番組を検出した場合、その検出したジャンルを所望するユーザがどの部屋にいるかどうかを検出（特定）し、そのユーザがいる部屋のユーザのディスプレイ２２とスピーカ２３に、検出した番組を出力することができる。
【０４０２】
従って、ユーザは、部屋１乃至５のいずれにいても、所望のジャンルの番組が検出された場合、その番組を視聴することができる。
【０４０３】
次に、図２５のフローチャートを参照して、図２４のステップＳ２２２における画像認識処理について説明する。
【０４０４】
ステップＳ２４１において、センサ１６１は、内部の変数ｎに１をセットして、ステップＳ２４２に進む。
【０４０５】
ステップＳ２４２において、センサ１６１は、部屋ｎを撮像して、ステップＳ２４３に進む。ここで、撮像された撮像画像は、例えば、内部のメモリ（図示せず）に一時的に保持される。
【０４０６】
ステップＳ２４３において、センサ１６１の認識処理部１６２は、ステップＳ２４２で撮像された撮像画像からオブジェクトを抽出し、そのオブジェクトとメモリ３６に記憶されているパターン情報Ａ乃至Ｅそれぞれとを比較して（マッチングを行い）、その比較結果に基づき、ユーザＡ乃至Ｅが部屋ｎにいるかどうかを認識する。ここで、ユーザＡ乃至Ｅが部屋ｎにいると認識（特定）された場合、センサ１６１は、誰がどの部屋にいるかを表す検出信号をコントローラ３１に供給する。
【０４０７】
ステップＳ２４３からＳ２４４に進み、センサ１６１は、変数ｎが部屋数（本実施の形態では、５）以下であるか否かを判定する。変数ｎが部屋数以下であると判定された場合、ステップＳ２４５に進み、センサ１６１は、内部の変数ｎを１だけインクリメントさせて、ステップＳ２４２に戻る。
【０４０８】
一方、ステップＳ２４４において、変数ｎが部屋数より大きいと判定された場合、図２４の番組出力処理に戻る。
【０４０９】
上述した画像認識処理においては、部屋１乃至５の順に、部屋で撮像された撮像画像と、メモリ３６に記憶されているパターン情報Ａ乃至Ｅそれぞれとを比較する（マッチングを行う）ようにしたが、センサ１６１−１乃至１６１−５の認識処理部１６２−１乃至１６２−５それぞれにおいて、部屋１乃至５について同時（並列）に、部屋で撮像された撮像画像と、メモリ３６に記憶されているパターン情報Ａ乃至Ｅそれぞれとを比較する（マッチングを行う）ようにしてもよい。
【０４１０】
次に、図２６のフローチャートを参照して、第６実施の形態における受信装置１の、その他の番組出力処理（第８の番組出力処理）について説明する。
【０４１１】
はじめに、ステップＳ２６１において、コントローラ３１は、上述した第６の番組出力処理のステップＳ１７１と同様に、ユーザＡ乃至Ｅの所望（好み）のジャンルに該当する番組を検出したか否かを判定し、ユーザＡ乃至Ｅの所望のジャンルに該当する番組が検出されるまで、ステップＳ２６１の処理が繰り返される。
【０４１２】
ステップＳ２６１で、ユーザＡ乃至Ｅの所望のジャンルに該当する番組を検出したと判定された場合、ステップＳ２６２に進み、コントローラ３１は、センサ１６１−１乃至１６１−５に図２５で説明した画像認識処理を行わせる。この画像認識処理により、部屋１乃至５の撮像画像とユーザＡ乃至Ｅのパターン情報Ａ乃至Ｅとが比較（マッチング）される。
【０４１３】
ステップＳ２６２からステップＳ２６３に進み、コントローラ３１は、ステップＳ２６１で検出された番組のジャンルを所望するユーザが部屋１乃至５のいずれかにいるかどうかを判定する。ステップＳ２６３では、コントローラ３１は、どのセンサ１６１から、ユーザＡ乃至Ｅのうちの誰が部屋にいるかを表す検出信号を受信したか（供給されたか）によって、ステップＳ２６１で検出された番組のジャンルを所望するユーザが部屋１乃至５のいずれかにいるかどうかを判定する。ステップＳ２６３で、ステップ２６１で検出された番組のジャンルを所望するユーザがいずれの部屋にもいないと判定された場合、ステップＳ２６４に進む。
【０４１４】
ステップＳ２６４では、コントローラ３１は、データを記憶することが可能な記憶容量が記録媒体１５２−１に十分あるか否かを判定する。ステップＳ２６４において、データを記憶することが可能な記憶容量が記録媒体１５２−１にないと判定された場合、ステップＳ２６１に戻り、それ以降の処理が繰り返される。
【０４１５】
一方、ステップＳ２６４において、データを記憶することが可能な記憶容量が記録媒体１５２−１に十分あると判定された場合、ステップＳ２６５に進む。
【０４１６】
ステップＳ２６５乃至Ｓ２６７の処理は、図２０の第６の番組出力処理におけるステップＳ１７４乃至Ｓ１７６の処理と同様である。即ち、ステップＳ２６５乃至Ｓ２６７の処理では、チューナ１１で検出された番組のビデオデータが高品質のビデオデータ（画像信号）に変換され、記録再生装置１５１−１の記録媒体１５２−１に記録される。また、チューナ１１で検出された番組のオーディオデータが、記録再生装置１５１−１の記録媒体１５２−１に記録される。
【０４１７】
さらに、コントローラ３１から供給される、いま記録した番組のジャンルが、記録再生装置１５１−１の記録媒体１５２−１に記録され、番組のビデオデータおよびオーディオデータの放送の終了後、記録を終了して、ステップＳ２６７からステップＳ２６１に戻る。
【０４１８】
一方、ステップＳ２６３で、ステップＳ２６１で検出された番組のジャンルを所望するユーザが部屋１乃至５のいずれかにいると判定された場合、ステップＳ２６８に進む。
【０４１９】
ステップＳ２６８とＳ２６９の処理は、上述のステップＳ２６５とＳ２６６の処理と同様であるので、その説明を省略する。
【０４２０】
ステップＳ２６９からＳ２７０に進み、コントローラ３１は、ステップＳ２６１で検出された番組のジャンルを所望するユーザであって、ステップＳ２６３でユーザがいると検出された部屋のディスプレイ２２とスピーカ２３をセレクタ２０と２１に選択させる。セレクタ２０は、コントローラ３１の制御により選択したディスプレイ２２に、合成部１８から供給されたビデオデータを出力する。従って、セレクタ２０に選択されたディスプレイ２２では、チューナ１１で検出された番組の画像が高品質の画像に変換されたものが表示される。
【０４２１】
また、セレクタ２１は、コントローラ３１の制御により選択したスピーカ２３に、オーディオデコーダ１６から供給されたオーディオデータを出力する。従って、セレクタ２１に選択されたスピーカ２３では、チューナ１１で検出された番組の音声が出力される。
【０４２２】
ステップＳ２７０からＳ２７１に進み、コントローラ３１は、ステップＳ２６１で検出された番組のジャンルを所望するユーザであって、ステップＳ２６３でユーザがいると検出された部屋に設置されているカメラ１２１に、ステップＳ２６１で検出された所望のジャンルの番組を視聴しているユーザの視聴状況を撮像させる。ユーザがいると判定された部屋に設置されているカメラ１２１は、コントローラ３１の制御の下、ステップＳ２６１で検出された番組を視聴しているユーザの視聴状況の撮像を開始して、ステップＳ２７２に進む。ここで、カメラ１２１で撮像された撮像信号は、メモリ３６に供給され、そこで一時記録される。
【０４２３】
ステップＳ２７２において、コントローラ３１は、ステップＳ２６１で検出された番組のジャンルを所望するユーザの部屋のうちの一部の部屋にユーザが不在であるか否かを判定する。ステップＳ２６１で検出された番組のジャンルを所望するユーザの部屋のうちの一部の部屋にユーザが不在ではない、即ち、ステップＳ２６１で検出された番組のジャンルを所望するユーザの部屋すべてにユーザがいると判定された場合、ステップＳ２７３乃至Ｓ２７５の処理をスキップし、処理を終了する。
【０４２４】
一方、ステップＳ２７２で、ステップＳ２６１で検出された番組のジャンルを所望するユーザの部屋のうちの一部の部屋にユーザが不在であると判定された場合、ステップＳ２７３に進み、コントローラ３１は、データを記憶することが可能な記憶容量が記録媒体１５２−１に十分あるか否かを判定する。ステップＳ２７２において、データを記憶することが可能な記憶容量が記録媒体１５２−１にないと判定された場合、ステップＳ２６１に戻り、それ以降の処理が繰り返される。
【０４２５】
一方、ステップＳ２７３において、データを記憶することが可能な記憶容量が記録媒体１５２−１に十分あると判定された場合、ステップＳ２７４に進む。
【０４２６】
ステップＳ２７４では、上述したステップＳ２６７の処理と同様に、ステップＳ２６８でMPEGデコードされたビデオデータとオーディオデータの記録媒体１５２−１への記録が記録再生装置１５１−１により開始される。また、ステップＳ２７４では、チューナ１１で検出された番組が該当するジャンルも記録再生装置１５１−１により記録媒体１５２−１に記録される。
【０４２７】
ステップＳ２７４からステップＳ２７５に進み、記録再生装置１５１−２は、コントローラ３１の制御の下、ステップＳ２７１で開始されたユーザの視聴状況の撮像により得られる撮像信号の記録媒体１５２−２への記録を開始する。そして、ステップＳ２７４で記録している番組のビデオデータおよびオーディオデータの放送の終了後、ステップＳ２７４とＳ２７５で開始された記録を終了して、処理を終了する。
【０４２８】
上述の番組出力処理では、ユーザの所望のジャンルに該当する番組を検出したと判定された場合、その番組のジャンルを所望するユーザがどの部屋にいるかを特定し、部屋１乃至５のいずれかの部屋にいれば、その部屋のディスプレイ２２とスピーカ２３にチューナ１１で検出された番組の画像と音声が出力される。
【０４２９】
また、ユーザの所望のジャンルに該当する番組を検出したと判定され、かつ、その番組のジャンルを所望するユーザの部屋すべてにユーザがいないと判定された場合、チューナ１１で検出された番組が記録再生装置１５１の記録媒体１５２に記録される。
【０４３０】
さらに、ユーザの所望のジャンルに該当する番組を検出したと判定され、かつ、その番組のジャンルを所望する一部のユーザが部屋１乃至５のいずれかにいて、その他のユーザが部屋１乃至５のいずれにもいない（不在）と判定された場合、部屋１乃至５のいずれかにいるユーザには、その部屋のディスプレイ２２とスピーカ２３にチューナ１１で検出された番組の画像と音声が出力される。また、部屋にいないユーザのために、チューナ１１で検出された番組が記録再生装置１５１の記録媒体１５２に記録される。さらに、部屋にいるユーザがチューナ１１で検出された番組を視聴している視聴状況も記録再生装置１５１の記録媒体１５２に記録される。
【０４３１】
また、図２６の番組出力処理によって、記録再生装置１５１の記録媒体１５２に記録された、チューナ１１で検出された番組のデータ、および部屋にいるユーザがチューナ１１で検出された番組を視聴している視聴状況の撮像信号は、チューナ１１で番組が検出されたときに部屋にいなかったユーザであって、その番組のジャンルを所望するユーザＡ乃至Ｅが部屋に戻ってきた場合、図２７の番組再生処理（第２の番組再生処理）によって再生される。
【０４３２】
はじめに、ステップＳ２９１において、コントローラ３１は、センサ１６１−１乃至１６１−５に図２５で上述した画像認識処理を行わせる。これにより、部屋１乃至５の撮像画像とユーザＡ乃至Ｅのパターン情報Ａ乃至Ｅとが比較（マッチング）され、ある部屋にユーザがいた場合、その部屋のセンサ１６１は、ユーザＡ乃至Ｅのうちの誰が部屋にいるかを表す検出信号をコントローラ３１に供給する。
【０４３３】
ステップＳ２９１からＳ２９２に進み、コントローラ３１は、部屋に設置されているセンサ１６１から検出信号を受信したかによって、ユーザが部屋１乃至５のいずれかにいるかどうかを判定する。ユーザがいずれの部屋にいないと判定された場合、ステップＳ２９１に戻る。
【０４３４】
ステップＳ２９２で、ユーザが部屋１乃至５のいずれかにいると判定された場合、ステップＳ２９３に進み、コントローラ３１は、記録再生装置１５１の記録媒体１５２に記録されている番組を検出する。そして、コントローラ３１は、ステップＳ２９２において部屋にいると判定されたユーザが所望するジャンルの番組が、記録媒体１５２に記録されているか否かを判定する。ステップＳ２９３で、部屋にいると判定されたユーザが所望するジャンルの番組が記録媒体１５２に記録されていないと判定された場合、ステップＳ２９４乃至Ｓ２９９の処理をスキップして、処理を終了する。
【０４３５】
ステップＳ２９３で、部屋にいると判定されたユーザが所望するジャンルの番組が記録媒体１５２に記録されていると判定された場合、ステップＳ２９４に進み、コントローラ３１は、いま放送中の他の番組をデコード中であるか否か、即ち、いまチューナ１１においてユーザが所望するジャンルの番組が検出され、その番組のトランスポートストリームが復調部１２、エラー訂正処理部１３、およびデマルチプレクサ１４を介して、ビデオデコーダ１５とオーディオデコーダ１６によりデコードされているか否かを判定する。
【０４３６】
ステップＳ２９４で、いま放送中の他の番組をデコード中であると判定された場合、ステップＳ２９４の処理が繰り返される。即ち、その放送中の他の番組のデコード（放送）が終了するまで待機する。
【０４３７】
一方、ステップＳ２９４で、いま放送中の他の番組をデコード中でないと判定された場合、ステップＳ２９５に進み、コントローラ３１は、ステップＳ２９３で検出された、ユーザが所望するジャンルの番組であって、記録再生装置１５１の記録媒体１５２に記録されている番組を、記録再生装置１５１に再生させる。記録再生装置１５１は、コントローラ３１の制御の下、記録媒体１５２に記録された番組のビデオデータとオーディオデータの再生を開始し、セレクタ２０と２１に出力して、ステップＳ２９６に進む。
【０４３８】
ステップＳ２９６では、コントローラ３１は、ステップＳ２９２でユーザがいると検出され、かつ、ステップＳ２９５で再生されている番組のジャンルを所望のジャンルとするユーザの部屋のディスプレイ２２とスピーカ２３をセレクタ２０と２１に選択させる。そして、セレクタ２０は、コントローラ３１の制御により選択したディスプレイ２２に、記録再生装置１５１から供給されるビデオデータを出力する。従って、セレクタ２０に選択されたディスプレイ２２では、記録再生装置１５１から供給されるビデオデータ（画像）が表示される。
【０４３９】
また、セレクタ２１は、コントローラ３１の制御により選択したスピーカ２３に、記録再生装置１５１から供給されるオーディオデータを出力する。従って、セレクタ２１に選択されたスピーカ２３では、記録再生装置１５１から供給されるオーディオデータ（音声）が出力される。
【０４４０】
ステップＳ２９６からＳ２９７に進み、コントローラ３１は、以前に他のユーザがステップＳ２９５で再生された番組を視聴している視聴状況の撮像信号が、記録再生装置１５１の記録媒体１５２に記録されているか否かを判定する。ステップＳ２９７で、以前に他のユーザがステップＳ２９５で再生された番組を視聴している視聴状況の撮像信号が、記録再生装置１５１の記録媒体１５２に記録されていないと判定された場合、ステップＳ２９８とＳ２９９をスキップして、処理を終了する。
【０４４１】
一方、ステップＳ２９７で、以前に他のユーザがステップＳ２９５で再生された番組を視聴している視聴状況の撮像信号が、記録再生装置１５１の記録媒体１５２に記録されていると判定された場合、ステップＳ２９８に進み、コントローラ３１は、記録媒体１５２に記録されている、以前に他のユーザがステップＳ２９５で再生された番組を視聴している視聴状況の撮像信号を記録再生装置１５１に再生させる。記録再生装置１５１は、コントローラ３１の制御の下、記録媒体１５２に記録されている、以前に他のユーザがステップＳ２９５で再生された番組を視聴している視聴状況の撮像信号、即ち、その番組を放送しているときに部屋にいて、その番組を視聴したユーザの視聴状況を撮像した撮像信号の再生を開始する。再生された撮像信号は、ステップＳ２９２において部屋にいると判定され、かつ、ステップＳ２９５で再生された番組のジャンルを所望のジャンルとするユーザがいる部屋の映写機１２２に出力（供給）される。
【０４４２】
ステップＳ２９８からＳ２９９に進み、映写機１２２は、記録再生装置１５１から供給されたユーザの視聴状況の撮像信号から得られる画像の、部屋の壁への映写を開始して、番組のすべてのビデオデータおよびオーディオデータの再生の終了後、処理を終了する。
【０４４３】
従って、図２７の番組再生処理では、ユーザが部屋のいずれかに戻ってきた場合、その部屋に戻ってきたユーザが、ユーザＡ乃至Ｅのうちの誰であるかを特定し、その特定されたユーザは、自分が部屋にいなかったときに放送された、所望のジャンルの番組を視聴することができる。
【０４４４】
また、記録媒体１５２に記録された番組がチューナ１１で検出された（放送された）時刻に、他のユーザが視聴していた場合、そのユーザの視聴状況も記録媒体１５２に記録されているので、部屋に戻ってきたユーザが記録媒体１５２に記録されている所望の番組を視聴するときに、他のユーザの視聴状況を部屋の壁に映写することができ、ユーザは、記録媒体１５２に記録された番組を視聴する際においても一体感、臨場感などを得る（体感する）ことができる。
【０４４５】
従って、図２２の受信装置１が受信するディジタル放送の放送信号の内容に合わせて、ユーザは、ユーザに好都合なように、放送信号の内容（番組）を視聴すること、即ち、ユーザが所望するジャンルの番組を、なんらの操作をすることなく視聴することができる。
【０４４６】
図２８は、図１の住宅システムの建物内に設置される受信装置１の第７実施の形態の構成例を示すブロック図である。図２８において、図２の第１実施の形態と対応する部分については同一の符号を付してあり、その説明を適宜省略する。
【０４４７】
図２８の受信装置１では、図２のオーディオデコーダ１６に代えて、オーディオデコーダ３１１が設けられている他は、図２の第１実施の形態と同様に構成されている。
【０４４８】
オーディオデコーダ３１１は、デマルチプレクサ１４から供給される、チューナ１１で検出された番組のオーディオデータをMPEG-2方式でデコードし、セレクタ２１に供給する。また、オーディオデコーダ３１１は、「地震」、「火事」、「窃盗」、および「台風」などの所定の単語（以下、キーワードと称する）のオーディオデータを、デマルチプレクサ１４から供給されるチューナ１１で検出された番組のオーディオデータの中から検出する。なお、このキーワードの検出は、例えば、音声認識技術のキーワードスポッティングによって行うことができる。そして、キーワード（のオーディオデータ）が検出された場合、オーディオデコーダ３１１は、キーワードを認識した旨のキーワード検出信号をコントローラ３１に供給する。
【０４４９】
コントローラ３１は、オーディオデコーダ３１１からキーワード検出信号が供給されると、センサ３７に各部屋にユーザがいるかどうかを検出させる。
【０４５０】
また、コントローラ３１は、センサ３７からユーザが部屋にいることを検出した検出信号が供給された場合、ユーザがいる部屋のディスプレイ２２とスピーカ２３を、セレクタ２０と２１に選択させる。
【０４５１】
以上のように構成される受信装置１では、チューナ１１で検出された番組のオーディオデータに、キーワード（のオーディオデータ）があるかどうかが検出される。そして、キーワードがあると検出された場合、ユーザがいる部屋が検出され、チューナ１１で検出された番組が、ユーザがいる全ての部屋に出力される。
【０４５２】
図２９は、図２８のオーディオデコーダ３１１の構成例を示すブロック図である。
【０４５３】
オーディオデコーダ３１１は、オーディオデコーダ部３２１、音声メモリ３２２、およびマッチング回路３１１で構成されている。
【０４５４】
オーディオデコーダ部３２１は、デマルチプレクサ１４から供給される、チューナ１１で検出された番組のオーディオデータをMPEG-2方式でデコードし、セレクタ２１とマッチング回路３２３に供給する。
【０４５５】
マッチング回路３２３は、音声メモリ３２２に記憶されているキーワードのオーディオデータ（の標準パターン）を読み出し、そのキーワードのオーディオデータと、オーディオデコーダ部３２１から供給されるMPEG-2方式でデコードされたオーディオデータとが一致するかどうかを判定するマッチング処理を行う。ここで、マッチング処理としては、例えば、連続分布HMM(Hidden Markov Model)法などの音声認識処理を用いることができる。
【０４５６】
また、音声メモリ３２２に記憶されているキーワードのオーディオデータと、オーディオデコーダ部３２１から供給されるMPEG-2方式でデコードされたオーディオデータとが一致すると判定された場合、即ち、番組の音声にキーワードが含まれている場合、マッチング回路３２３は、キーワード（のオーディオデータ）を認識した旨のキーワード検出信号をコントローラ３１に供給する。
【０４５７】
音声メモリ３２２には、例えば、「地震」、「火事」、「窃盗」、および「台風」などの災害が生じたことを表すような、緊急にユーザに通知する必要があるキーワードのオーディオデータが予め記憶されている。音声メモリ３２２は、内部に記憶しているキーワードのオーディオデータを、必要に応じて、マッチング回路３２３に供給する。なお、音声メモリ３２２には、必要に応じて、ユーザが所望のキーワードを登録することが可能である。
【０４５８】
次に、図３０のフローチャートを参照して、図２８の受信装置１が行う緊急放送処理（第１の緊急放送処理）について説明する。この処理は、受信装置１の電源が投入されている間、常に実行されている。
【０４５９】
はじめに、ステップＳ３１１において、チューナ１１で検出された番組のトランスポートストリームが、復調部１２、およびエラー訂正処理部１３を介して、デマルチプレクサ１４に供給される。そして、デマルチプレクサ１４は、トランスポートストリームとして送られてくる番組のTSパケットのうち、ビデオデータをビデオデコーダ１５に、オーディオデータをオーディオデコーダ３１１に、それぞれ供給する。ここで、ユーザが所望するジャンルの番組が複数検出された場合には、上述した番組出力処理と同様に、メモリ３６に記憶されているジャンルの優先順位に基づいて、より優先順位の高いジャンルが選択される。
【０４６０】
ビデオデコーダ１５は、デマルチプレクサ１４からのTSパケットのビデオデータをMPEGデコードしてDRC部１７に供給する。
【０４６１】
また、オーディオデコーダ３１１（図２９）のオーディオデコーダ部３２１は、デマルチプレクサ１４からのTSパケットのオーディオデータをMPEGデコードして、セレクタ２１とマッチング回路３２３に供給し、ステップＳ３１２に進む。
【０４６２】
ステップＳ３１２において、マッチング回路３２３(図２９)は、キーワードを検出するマッチング処理を行い、キーワードを検出したかどうかを判定する。即ち、マッチング回路３２３は、音声メモリ３２２に記憶されているキーワードのオーディオデータを読み出し、そのキーワードのオーディオデータが、オーディオデコーダ部３２１から供給されるMPEG-2方式でデコードされたオーディオデータに含まれているかどうかを判定する。
【０４６３】
そして、ステップＳ３１２において、キーワードが検出されていないと判定された場合、即ち、オーディオデコーダ部３２１から供給されるオーディオデータにキーワードが含まれていない場合、ステップＳ３１１に戻り、ステップＳ３１１とＳ３１２の処理が繰り返される。
【０４６４】
一方、ステップＳ３１２において、キーワードが検出されたと判定された場合、即ち、オーディオデコーダ部３２１から供給されるオーディオデータにキーワードが含まれている場合、マッチング回路３２３は、キーワードを認識した旨のキーワード検出信号をコントローラ３１に供給して、ステップＳ３１３に進む。
【０４６５】
ステップＳ３１３において、コントローラ３１は、センサ３７に各部屋にユーザがいるかどうかを検出させる。センサ３７は、コントローラ３１の制御の下、ユーザがいる部屋を検出し、ユーザが部屋にいると検出した場合には、ユーザが部屋にいることを検出した（ユーザが部屋にいることを表す）検出信号をコントローラ３１に供給して、ステップＳ３１４に進む。
【０４６６】
ステップＳ３１４において、コントローラ３１は、ユーザが部屋にいると検出された部屋のディスプレイ２２とスピーカ２３をセレクタ２０と２１に選択させる。そして、セレクタ２０は、コントローラ３１の制御により選択したディスプレイ２２に、合成部１８から供給されたビデオデータを出力する。即ち、セレクタ２０に選択されたディスプレイ２２では、キーワードが検出された番組の画像が高品質の画像に変換されて表示される。
【０４６７】
また、セレクタ２１は、コントローラ３１の制御により選択したスピーカ２３に、オーディオデコーダ３１１（のオーディオデコーダ部３２１）から供給されたオーディオデータを出力する。即ち、セレクタ２１に選択されたスピーカ２３では、キーワードが検出された番組の音声が出力される。
【０４６８】
以上のように、図３０の緊急放送処理によれば、チューナ１１で検出された番組の中に、緊急にユーザに通知する必要があるキーワードが検出される。そして、キーワードが検出された番組が、ユーザがいるすべての部屋に出力（放送）される。これにより、ユーザは、例えば、「地震」、「火事」、「窃盗」、および「台風」などの緊急事態をより早く知ることができる。
【０４６９】
従って、受信装置１が受信するディジタル放送の放送信号の内容に合わせて、ユーザは、ユーザに好都合なように、放送信号の内容（番組）を視聴すること、即ち、ユーザに緊急に通知する必要がある情報の番組を、なんらの操作をすることなく視聴することができる。
【０４７０】
図３１は、図１の住宅システムの建物内に設置される受信装置１の第８実施の形態の構成例を示すブロック図である。図３１において、図２８の第７実施の形態と対応する部分については同一の符号を付してあり、その説明を適宜省略する。
【０４７１】
図３１の受信装置１では、アクチュエータ３４１乃至３４３が新たに設けられている他は、図２８の第７実施の形態と同様に構成されている。
【０４７２】
アクチュエータ３４１は、図１の住宅システムの建物内のガスの元栓を制御（開閉）する。また、アクチュエータ３４２は、図１の住宅システムの建物内の窓（ドア）の鍵を制御（開閉）する。さらに、アクチュエータ３４３は、図１の住宅システムの建物内の雨戸を制御（開閉）する。
【０４７３】
コントローラ３１は、オーディオデコーダ３１１から供給されるキーワード検出信号に基づいて、アクチュエータ３４１乃至３４３を制御する。
【０４７４】
例えば、コントローラ３１は、オーディオデコーダ３１１からキーワード「地震」を認識した旨のキーワード検出信号が供給された場合、アクチュエータ３４１を制御して、図１の住宅システムの建物内のガスの元栓を閉めさせる。
【０４７５】
また、例えば、コントローラ３１は、オーディオデコーダ３１１からキーワード「窃盗」を認識した旨のキーワード検出信号が供給された場合、アクチュエータ３４２を制御して、図１の住宅システムの建物内の窓（ドア）の鍵を閉めさせる。同様に、コントローラ３１は、オーディオデコーダ３１１からキーワード「台風」を認識した旨のキーワード検出信号が供給された場合、アクチュエータ３４３を制御して、図１の住宅システムの建物内の雨戸を閉めさせる。
【０４７６】
以上のように構成される受信装置１では、オーディオデコーダ３１１においてキーワードのオーディオデータが検出されると、そのキーワードの内容に応じて、図１の住宅システムの建物内の設備が制御される。
【０４７７】
また、図３１の受信装置１では、図２８の第７実施の形態における場合と同様に、チューナ１１で検出された番組のオーディオデータに、キーワードが含まれるかどうかが検出される。そして、キーワードが検出された場合、ユーザがいる部屋が検出され、チューナ１１で検出された番組が、ユーザがいる全ての部屋に出力される。
【０４７８】
次に、図３２のフローチャートを参照して、図３１の受信装置１が行う緊急放送処理（第２の緊急放送処理）について説明する。
【０４７９】
図３２のステップＳ３２１乃至Ｓ３２４の処理は、図３０のステップＳ３１１乃至Ｓ３１４の処理と同様であるので、その説明を省略する。
【０４８０】
ステップＳ３２４の処理後、ステップＳ３２５において、コントローラ３１は、オーディオデコーダ３１１から供給されるキーワード検出信号に基づいて、建物内の設備を制御して、処理を終了する。例えば、コントローラ３１は、オーディオデコーダ３１１からキーワード「窃盗」を認識した旨のキーワード検出信号が供給された場合、上述したように、アクチュエータ３４２を制御して、図１の住宅システムの建物内の窓（ドア）の鍵を閉めさせる。
【０４８１】
以上のように、図３２の緊急放送処理によれば、チューナ１１で検出された番組の中に、緊急にユーザに通知する必要があるキーワードが検出される。そして、キーワードが検出された番組が、ユーザがいるすべての部屋に出力（放送）される。これにより、ユーザは、例えば、「地震」、「火事」、「窃盗」、および「台風」などの緊急事態をより早く知ることができる。
【０４８２】
また、図３２の緊急放送処理によれば、キーワードの内容に応じて、図１の住宅システムの建物内の設備が制御される。
【０４８３】
従って、受信装置１が受信するディジタル放送の放送信号の内容に合わせて、ユーザは、ユーザに好都合なように、放送信号の内容（番組）を視聴すること、即ち、ユーザに緊急に通知する必要がある情報の番組を、なんらの操作をすることなく視聴することができる。
【０４８４】
また、受信装置１が受信するディジタル放送の放送信号の内容に合わせて、住宅システムの建物内の設備を制御することができる。
【０４８５】
図３１の受信装置１では、コントローラ３１がキーワード検出信号により制御する設備を、図１の住宅システムの建物内のガスの元栓、窓（ドア）の鍵、および雨戸の３種類としたが、コントローラ３１がキーワード検出信号により制御する設備は、これ以外のものでもよく、また、何種類であってもよい。
【０４８６】
上述した第１乃至第８実施の形態では、チューナ１１が検出する放送信号は、ディジタル放送の放送信号としたが、本発明は、ディジタル放送の放送信号に限らず、アナログの放送信号にも適用することができる。さらに、放送メディアも、地上波、衛星放送、CATV（Cable Television）その他に限定されるものではない。
【０４８７】
また、上述した第１乃至第８実施の形態では、ディスプレイ２２−１乃至２２−５とスピーカ２３−１乃至２３−５を受信装置１の構成の一部としたが、受信装置１は、その他のディスプレイとスピーカと接続されるようにしてもよい。
【０４８８】
さらに、上述した第１乃至第８実施の形態では、１のチューナで構成されるようにしたが、複数のチューナを有し、２ジャンル以上の所望のジャンルの番組を受信するようにしてもよい。
【０４８９】
上述した受信装置１は、例えば、テレビジョン受像機の受信装置として適用することができる。
【図面の簡単な説明】
【０４９０】
【図１】本発明を適用した住宅システムを示す斜視図である。
【図２】受信装置１の第１実施の形態の構成例を示すブロック図である。
【図３】図２のメモリ３６に記憶されているデータを説明する図である。
【図４】図２のDRC部１７の詳細な構成例を示すブロック図である。
【図５】予測タップとクラスタップを示す図である。
【図６】タップ係数を学習する学習装置の構成例を示すブロック図である。
【図７】タップ係数を学習する学習処理を説明するフローチャートである。
【図８】係数発生部５５の構成例を示すブロック図である。
【図９】画像変換処理を説明するフローチャートである。
【図１０】第１の番組出力処理について説明するフローチャートである。
【図１１】第２の番組出力処理について説明するフローチャートである。
【図１２】受信装置１の第２実施の形態の構成例を示すブロック図である。
【図１３】第３の番組出力処理について説明するフローチャートである。
【図１４】第３の番組出力処理におけるユーザの部屋の様子を示す図である。
【図１５】受信装置１の第３実施の形態の構成例を示すブロック図である。
【図１６】第４の番組出力処理について説明するフローチャートである。
【図１７】受信装置１の第４実施の形態の構成例を示すブロック図である。
【図１８】第５の番組出力処理について説明するフローチャートである。
【図１９】受信装置１の第５実施の形態の構成例を示すブロック図である。
【図２０】第６の番組出力処理について説明するフローチャートである。
【図２１】第１の番組再生処理について説明するフローチャートである。
【図２２】受信装置１の第６実施の形態の構成例を示すブロック図である。
【図２３】図２２のメモリ３６に記憶されているデータを説明する図である。
【図２４】第７の番組出力処理について説明するフローチャートである。
【図２５】画像認識処理について説明するフローチャートである。
【図２６】第８の番組出力処理について説明するフローチャートである。
【図２７】第２の番組再生処理について説明するフローチャートである。
【図２８】受信装置１の第７実施の形態の構成例を示すブロック図である。
【図２９】図２８のオーディオデコーダ３１１の構成例を示すブロック図である。
【図３０】第１の緊急放送処理について説明するフローチャートである。
【図３１】受信装置１の第８実施の形態の構成例を示すブロック図である。
【図３２】第２の緊急放送処理について説明するフローチャートである。
【符号の説明】
【０４９１】
１    受信装置，  １１    チューナ，  １２    復調部，  １３    エラー訂正処理部，  １４    デマルチプレクサ，  １５    ビデオデコーダ，  １６    オーディオデコーダ，  １７    DRC部，  １８    合成部，  １９    OSD部，  ２０，２１    セレクタ，  ２２−１乃至２２−５    ディスプレイ，  ２３−１乃至２３−５    スピーカ，  ３１    コントローラ，  ３２    キー入力部，  ３３    表示部，  ３４    リモコンI/F，  ３５    受光部，  ３６    メモリ，  ３７−１乃至３７−５    センサ，  １２１−１乃至１２１−５    カメラ，  １２２−１乃至１２２−５，１３１−１乃至１３１−５    映写機，  １３２−１乃至１３２−５    画像加工部，  １４１，１４２    アクチュエータ，  １５１−１，１５１−２    記録再生装置，  １５２−１，１５２−２    記録媒体，  １６１−１乃至１６１−５    センサ，  １６２−１乃至１６２−５    認識処理部，  ３１１    オーディオデコーダ，  ３２１    オーディオデコーダ部，  ３２２    音声メモリ，  ３２３    マッチング回路，  ３４１乃至３４３    アクチュエータ
【図１】
2005086422.tif 000011
【図２】
2005086422.tif 000012
【図３】
2005086422.tif 000013
【図４】
2005086422.tif 000014
【図５】
2005086422.tif 000015
【図６】
2005086422.tif 000016
【図７】
2005086422.tif 000017
【図８】
2005086422.tif 000018
【図９】
2005086422.tif 000019
【図１０】
2005086422.tif 000020
【図１１】
2005086422.tif 000021
【図１２】
2005086422.tif 000022
【図１３】
2005086422.tif 000023
【図１４】
2005086422.tif 000024
【図１５】
2005086422.tif 000025
【図１６】
2005086422.tif 000026
【図１７】
2005086422.tif 000027
【図１８】
2005086422.tif 000028
【図１９】
2005086422.tif 000029
【図２０】
2005086422.tif 000030
【図２１】
2005086422.tif 000031
【図２２】
2005086422.tif 000032
【図２３】
2005086422.tif 000033
【図２４】
2005086422.tif 000034
【図２５】
2005086422.tif 000035
【図２６】
2005086422.tif 000036
【図２７】
2005086422.tif 000037
【図２８】
2005086422.tif 000038
【図２９】
2005086422.tif 000039
【図３０】
2005086422.tif 000040
【図３１】
2005086422.tif 000041
【図３２】
2005086422.tif 000042